(57)【要約】  双方向ハンドオーバー用の装置を開示する。ワイヤレス符号分割多元接続（ＷＣＤＭＡ）ネットワークからワイヤレスブロードバンド（ＷｉＢｒｏ）ネットワークへのハンドオーバーを実行するよう構成された装置を開示する。ＷＣＤＭＡネットワークからＷｉＦｉ（ＩＥＥＥ８０２．１１ｘ）ネットワークへのハンドオーバーを実行するよう構成された装置を開示する。ＷｉＦｉネットワークからＷＣＤＭＡネットワークへのハンドオーバーを実行するように構成された装置を開示する。
2010539811.tif 000002
【特許請求の範囲】
【請求項１】
広帯域符号分割多元接続（ＷＣＤＭＡ）モデムと、
別の技術タイプに属する別のモデムと、
ＭＩＨ（Media Independent Handover）ミドルウェアを作動させるよう構成されたプロセッサと
を備えたデュアルモードのＷＴＲＵであって、
前記ＷＣＤＭＡモデムはＷＣＤＭＡ接続を使用してＭＩＨサーバーと通信するよう構成され、前記ＭＩＨミドルウェアは、前記ＷＣＭＤＡモデムにより前記ＭＩＨサーバーからのハンドオーバーコマンドを受信して、前記ハンドオーバーコマンドに応答して、ＷＣＤＭＡサービス品質（ＱｏＳ）を前記別の技術タイプのＱｏＳへマッピングするよう構成され、
前記ＭＩＨミドルウェアおよび前記ＷＣＭＤＡモデムは、前記別の技術タイプのＱｏＳへのマッピングに応答して、前記ＷＣＤＭＡモデムをパワーダウンするようさらに構成され、
前記ＭＩＨミドルウェアおよび前記別のモデムは、前記ＷＣＤＭＡモデムのパワーダウンに応答して、前記別のモデムへの切替えを実行し、モバイル・インターネット・プロトコル（モバイルＩＰ）・バインディング更新を実行し、ＭＩＨ切替え応答を前記ＭＩＨサーバーへ伝達するようさらに構成され、
前記ＭＩＨミドルウェアおよび前記ＷＣＤＭＡモデムは、前記ＭＩＨ切替え応答の伝達に応答して、前記ＷＣＤＭＡ接続を終了するようさらに構成されたことを特徴とするＷＴＲＵ。
【請求項２】
前記別の技術はＷｉＢｒｏ（Wireless Broadband）技術であり、前記別のモデムはＷｉＢｒｏモデムであることを特徴とする請求項１に記載のＷＴＲＵ。
【請求項３】
前記別の技術はＩＥＥＥ８０２．１１ｘ（ＷｉＦ）技術であり、前記別のモデムはＷｉＦｉモデムであることを特徴とする請求項１に記載のＷＴＲＵ。
【請求項４】
前記ＭＩＨミドルウェアおよび前記ＷＣＤＭＡモデムは、初期化の開始に応答して、ＭＩＨサーバー発見を実行し、ホーム・エージェント・インターネット・プロトコル・アドレスを取得し、ＭＩＨセッションを開始するようさらに構成されたことを特徴とする請求項１に記載のＷＴＲＵ。
【請求項５】
前記別の技術はＷｉＢｒｏ技術であり、前記別のモデムはＷｉＢｒｏモデムであることを特徴とする請求項３に記載のＷＴＲＵ。
【請求項６】
前記別の技術はＩＥＥＥ８０２．１１ｘ（ＷｉＦ）技術であり、前記別のモデムはＷｉＦｉモデムであることを特徴とする請求項３に記載のＷＴＲＵ。
【請求項７】
前記ＭＩＨミドルウェアおよび前記ＷＣＤＭＡモデムは、ＷＣＤＭＡネットワークへのハンドオーバーの成功に応答して、前記ＭＩＨサーバーに再登録し、ＭＩＨセッション継続メッセージを前記ＭＩＨサーバーへ伝達するようさらに構成されたことを特徴とする請求項１に記載のＷＴＲＵ。
【請求項８】
前記別の技術はＷｉＢｒｏ技術であり、前記別のモデムはＷｉＢｒｏモデムであることを特徴とする請求項７に記載のＷＴＲＵ。
【請求項９】
前記別の技術はＩＥＥＥ８０２．１１ｘ（ＷｉＦ）技術であり、前記別のモデムはＷｉＦｉモデムであることを特徴とする請求項７に記載のＷＴＲＵ。
【請求項１０】
前記ＭＩＨミドルウェアおよび前記別のモデムは、前記別のモデムをレシーバーモードにおいて開始するようさらに構成され、
前記ＭＩＨミドルウェアは、前記別のモデムのレシーバーモードにおける開始に応答して、ＷＣＤＭＡ測定報告を前記ＷＣＤＭＡモデムから受信して、前記別の技術タイプの測定報告を前記別のモデムから受信するようさらに構成されたことを特徴とする請求項１に記載のＷＴＲＵ。
【請求項１１】
前記別の技術はＷｉＢｒｏ技術であり、前記別のモデムはＷｉＢｒｏモデムであることを特徴とする請求項１０に記載のＷＴＲＵ。
【請求項１２】
前記別の最初の技術はＩＥＥＥ８０２．１１ｘ（ＷｉＦ）技術であり、前記別のモデムはＷｉＦｉモデムであることを特徴とする請求項１０に記載のＷＴＲＵ。
【請求項１３】
前記ＷＣＤＭＡモデムは、セッション進行中にプロプラエタリシステム情報（ＳＩ）によって前記別の技術タイプのセルの利用可能性を検出して、サービスエリア予測を前記ＭＩＨミドルウェアへ伝達するようさらに構成され、
前記ＭＩＨミドルウェアおよび前記ＷＣＤＭＡモデムは、前記サービスエリア予測に応答して、セル利用可能性メッセージを前記ＭＩＨサーバーへ伝達するようさらに構成され、
前記ＭＩＨミドルウェアは、前記セル利用可能性メッセージの伝達に応答して、前記ＷＣＤＭＡモデムにより前記ＭＩＨサーバーからスキャン要求メッセージを受信するようさらに構成され、前記スキャン要求メッセージは前記別の技術タイプのセルのリストと報告しきい値とを含み、
前記ＭＩＨミドルウェアおよび前記別のモデムは、前記スキャン要求メッセージに応答して前記別のモデムをレシーバーモードにおいてオンにすることを実行するようさらに構成されたことを特徴とする請求項１０に記載のＷＴＲＵ。
【請求項１４】
前記別の技術はＷｉＢｒｏ技術であり、前記別のモデムはＷｉＢｒｏモデムであることを特徴とする請求項１３に記載のＷＴＲＵ。
【請求項１５】
前記別の技術はＩＥＥＥ８０２．１１ｘ（ＷｉＦ）技術であり、前記別のモデムはＷｉＦｉモデムであることを特徴とする請求項１３に記載のＷＴＲＵ。
【請求項１６】
前記ＷＣＤＭＡモデムは、進行中のセッションに応答して、前記ＭＩＨサーバーへ周期的に登録するようさらに構成され、
前記ＭＩＨミドルウェアは、前記ＭＩＨサーバーへの周期的な登録中に、前記ＷＣＤＭＡモデムにより前記ＭＩＨサーバーからスキャン要求メッセージを受信するようさらに構成され、前記スキャン要求メッセージは前記別の技術タイプのセルのリストと報告しきい値とを含み、
前記ＭＩＨミドルウェアおよび前記別のモデムは、前記スキャン要求メッセージに応答して前記別のモデムをレシーバーモードにおいてオンにすることを実行するようさらに構成されたことを特徴とする請求項１０に記載のＷＴＲＵ。
【請求項１７】
前記別の技術はＷｉＢｒｏ技術であり、前記別のモデムはＷｉＢｒｏモデムであることを特徴とする請求項１６に記載のＷＴＲＵ。
【請求項１８】
前記別の技術はＩＥＥＥ８０２．１１ｘ（ＷｉＦ）技術であり、前記別のモデムはＷｉＦｉモデムであることを特徴とする請求項１６に記載のＷＴＲＵ。
【請求項１９】
広帯域符号分割多元接続（ＷＣＤＭＡ）モデムと、
ＩＥＥＥ８０２．１１ｘ（ＷｉＦｉ）モデムと、
ＭＩＨミドルウェアを作動させるよう構成されたプロセッサと
を備えたデュアルモードのＷＴＲＵであって、
前記ＷｉＦｉモデムはＷｉＦｉ接続を使用してＭＩＨサーバーと通信するように構成され、前記ＭＩＨミドルウェアは、前記ＷｉＦｉモデムにより前記ＭＩＨサーバーからハンドオーバーコマンドを受信して、ＷｉＦｉサービス品質（ＱｏＳ）をＷＣＭＤＡ  ＱｏＳへマッピングするよう構成され、
前記ＭＩＨミドルウェアおよび前記ＷＣＤＭＡモデムは、前記ＷＣＤＭＡ  ＱｏＳへのマッピングに応答して、ＷＣＤＭＡへの切替えを実行し、パケット交換（ＰＳ）セッションを設定し、モバイル・インターネット・プロトコル（モバイルＩＰ）・バインディング更新を実行し、ＭＩＨ切替え応答を前記ＭＩＨサーバーへ伝達するようさらに構成され、
前記ＭＩＨミドルウェアおよび前記ＷｉＦｉモデムは、前記ＭＩＨ切替え応答の伝達に応答して、前記ＷｉＦｉ接続を終了するようさらに構成されたことを特徴とするＷＴＲＵ。
【請求項２０】
前記ＭＩＨミドルウェアおよび前記ＷｉＦｉモデムは、初期化の開始に応答して、ＭＩＨサーバー発見を実行し、ホーム・エージェント・インターネット・プロトコル・アドレスを取得し、ＭＩＨセッションを開始するようさらに構成されたことを特徴とする請求項１９に記載のＷＴＲＵ。
【請求項２１】
前記ＭＩＨミドルウェアは、ＷｉＦｉ測定報告を前記ＷｉＦｉモデムから受信して、ＷｉＦｉのサービスエリアの終わりを予測するようさらに構成され、
前記ＭＩＨミドルウェアおよび前記ＷＣＤＭＡモデムは、前記ＷｉＦｉのサービスエリアの終わりの予測に応答して、前記ＷＣＭＤＡモデムをアイドルモードにおいて開始するようさらに構成され、
前記ＭＩＨミドルウェアは、前記ＷＣＤＭＡモデムのレシーバーモードにおける開始に応答して、追加のＷｉＦｉ測定報告を前記ＷｉＦｉモデムから受信して、ＷＣＤＭＡ測定報告を前記ＷＣＤＭＡモデムから受信するようさらに構成されたことを特徴とする請求項１９に記載のＷＴＲＵ。
【発明の詳細な説明】
【技術分野】
【０００１】
本発明は、ワイヤレス通信に関し、より詳細には、双方向ハンドオーバー（bi-directional handover）の方法および装置に関する。
【背景技術】
【０００２】
ＩＥＥＥ８０２．２１のＭＩＨ（Media Independent Handover）の規格により、インターアクセス（inter-access）テクノロジー移動管理の実行および管理を助力するメカニズムおよび手順が定義されている。ＩＥＥＥ８０２．２１により、移動管理のアプリケーションに利用可能な３つの主要なサービスが定義されている。図１を参照すると、これらのサービスは、イベントサービス１００、情報サービス１０５、およびコマンドサービス１１０である。これらのサービスは、下位レイヤー１１５から上位レイヤー１２０への情報およびトリガーを提供して、ＭＩＨＦ（Media Independent Handover function）１２５により上位レイヤー１２０から下位レイヤー１１５へのコマンドを下位レイヤーに提供することによって、ハンドオーバー動作、システム発見、およびシステム選択の管理を助力する。図１は、ＭＩＨＦ１２５をプロトコルスタックの中間レイヤーとして示すが、さらにＭＩＨＦ１２５を、テクノロジーに特有のプロトコルスタックのどのレイヤーとも直に情報およびトリガーを交換する性能があるＭＩＨプレーンとして実装できる。
【０００３】
イベントは、物理レイヤー、データリンクレイヤー、および論理リンクレイヤーの状態および伝送のビヘイビアーの変化を示すこともでき、これらのレイヤーの状態変化を予測することもできる。さらにイベントサービス１００を使用して、ネットワークまたは管理エンティティに関しては管理アクションまたはコマンド状態を示すことができる。コマンドサービス１１０は、上位レイヤーに、物理レイヤー、データリンクレイヤー、および論理リンクレイヤー（ひとまとめにして下位レイヤーという）を制御できるようにする。上位レイヤーは、１組のハンドオーバーコマンドを介して、適切なリンクの再構成または選択を制御できる。ＭＩＨＦがコマンドサービスをサポートする場合、すべてのＭＩＨコマンドは、まったくの命令である。ＭＩＨＦがコマンドを受信すると、このコマンドを実行することが常に期待される。情報サービス１０５により、フレームワークおよび対応するメカニズムが与えられる。与えられたフレームワークおよび対応するメカニズムにより、ＭＩＨＦエンティティは、地理的な領域内に存在するネットワーク情報を発見しそして取得することによって、ハンドオーバーを促進できる。
【０００４】
ＭＩＨの規格を、ＷＣＤＭＡ（wireless code division multiple access）、ＩＥＥＥ８０２．１１ｘ（ＷｉＦｉ）、ＩＥＥＥ８０２．３、ＩＥＥＥ８０２．１４、ＩＥＥＥ８０２．１６（ＷｉＭＡＸ）、ＩＥＥＥ８０２．１６ｅ（ＷｉＢｒｏ）、第３世代パートナーシッププロジェクト（３ＧＰＰ）、および第３世代パートナーシッププロジェクト２（３ＧＰＰ２）の技術を含む種々のＲＡＴ（radio access technology）間のハンドオーバーをサポートするのに適用できる。ＷＴＲＵ（wireless transmit/receive unit）を、ある型のネットワークから別の型のネットワークへハンドオーバーさせることができる。ＷＴＲＵがＷＣＤＭＡ技術およびＷｉＢｒｏ技術により通信できる場合、ＷＴＲＵがＷＣＤＭＡからＷｉＢｒｏへの、およびＷｉＢｒｏからＷＣＤＭＡへのＭＩＨハンドオーバーをサポートすることは有益であろう。ＷＴＲＵがＷＣＤＭＡ技術およびＷｉＦｉ技術により通信できる場合、ＷＴＲＵがＷＣＤＭＡからＷｉＦｉへの、およびＷｉＦｉからＷＣＤＭＡへのＭＩＨハンドオーバーをサポートすることは有益であろう。これらの状況および他の状況においてＭＩＨの双方向ハンドオーバーをサポートするアプローチがＷＴＲＵに対して必要である。したがって、ＭＩＨハンドオーバーがＭＩＨミドルウェアによりＷＴＲＵにサポートされることは有益であろう。
【発明の概要】
【０００５】
双方向ハンドオーバー用の装置を開示する。ＷＣＤＭＡネットワークからＷｉＢｒｏ（wireless broadband）ネットワークへのハンドオーバーを実行するよう構成された装置を開示する。ＷＣＤＭＡネットワークからＷｉＦｉ（ＩＥＥＥ８０２．１１ｘ）ネットワークへのハンドオーバーを実行するよう構成された装置を開示する。ＷｉＦｉネットワークからＷＣＤＭＡネットワークへのハンドオーバーを実行するよう構成された装置を開示する。
【図面の簡単な説明】
【０００６】
より詳細な理解を、例として与えられ、本明細書に添付の図面と共に理解されるべき望ましい実施形態の以下の説明から得ることができる。
【図１】ＩＥＥＥ８０２．２１プロトコルアーキテクチャの図である。
【図２】例示的なＷＴＲＵのブロック図である。
【図３】例示的なＰＣのブロック図である。
【図４】ＷｉＢｒｏハンドオーバーの例示的なＷＣＤＭＡの登録手順の機能的なブロック図である。
【図５】ＷｉＢｒｏハンドオーバーの例示的なＷＣＤＭＡの登録手順の機能的なブロック図である。
【図６】ＷｉＢｒｏハンドオーバーの例示的なＷＣＤＭＡの検出手順の機能的なブロック図である。
【図７】ＷｉＢｒｏハンドオーバーの例示的なＷＣＤＭＡの検出手順の機能的なブロック図である。
【図８】ＷｉＢｒｏハンドオーバーの例示的なＷＣＤＭＡの検出手順の機能的なブロック図である。
【図９】ＷｉＢｒｏハンドオーバーの例示的なＷＣＤＭＡのハンドオーバー起動手順および実行開始手順の機能的なブロック図である。
【図１０】ＷｉＢｒｏハンドオーバーの例示的なＷＣＤＭＡのハンドオーバー起動手順および実行終了手順の機能的なブロック図である。
【図１１】ＷＣＤＭＡハンドオーバーの例示的なＷｉＦｉの登録手順の機能的なブロック図である。
【図１２】ＷＣＤＭＡハンドオーバーの例示的なＷｉＦｉの検出手順の機能的なブロック図である。
【図１３】ＷＣＤＭＡハンドオーバーの例示的なＷｉＦｉのハンドオーバー手順および実行開始手順の機能的なブロック図である。
【図１４】ＷＣＤＭＡハンドオーバーの例示的なＷｉＦｉのハンドオーバー終了実行手順を示す機能的なブロック図である。
【図１５】ＷｉＦｉハンドオーバーの例示的なＷＣＤＭＡの登録手順の機能的なブロック図である。
【図１６】ＷｉＦｉハンドオーバーの例示的なＷＣＤＭＡの代替の登録手順の機能的なブロック図である。
【図１７】ＷｉＦｉハンドオーバーの例示的なＷＣＤＭＡの検出手順の機能的なブロック図である。
【図１８】ＷｉＦｉハンドオーバーの例示的なＷＣＤＭＡの代替の検出手順の機能的なブロック図である。
【図１９】ＷｉＦｉハンドオーバーの例示的なＷＣＤＭＡの代替の検出手順の機能的なブロック図である。
【図２０】ＷｉＦｉハンドオーバーの例示的なＷＣＤＭＡのハンドオーバー起動手順および実行開始手順の機能的なブロック図である。
【図２１】ＷｉＦｉハンドオーバーの例示的なＷＣＤＭＡのハンドオーバー終了実行手順の機能的なブロック図である。
【発明を実施するための形態】
【０００７】
本明細書において引用する場合、用語「ＷＴＲＵ」は、制限されないが、ユーザー機器（ＵＥ）、移動局、固定または移動の加入者ユニット、ページャー、携帯電話、パーソナル・デジタル・アシスタント（ＰＤＡ）、コンピューター、またはワイヤレス環境において動作する性能がある他のあらゆる型のユーザーデバイスを含む。本明細書において引用する場合、用語「基地局」は、制限されないが、ノードＢ、サイトコントローラー、アクセスポイント（ＡＰ）、またはワイヤレス環境において動作する性能がある他のあらゆる型のインターフェーシングデバイスを含む。
【０００８】
図２は、一実施形態に係るＷＴＲＵ２００である。ＷＴＲＵは、トランシーバー２０１、レシーバー２０２、およびアンテナ２０３を含む。トランシーバー２０１およびレシーバー２０２と通信しているのは、８０２．１１ｘモデム２１０、８０２．１６／ＷｉＢｒｏモデム２２０、およびＷＣＤＭＡモデム２３０である。モデム２１０、２２０、２３０と通信しているのは、ＭＩＨミドルウェア２５０を含むプロセッサ２０４である。別個の実施形態のとおりに、ＷＴＲＵは、図２に示す３つの型のすべてのモデムを含む必要はない。一実施形態のとおりにＷＴＲＵは、例えば８０２．１１ｘモデムおよびＷＣＤＭＡモデムなどの１組のモデムを含むことができる。別の実施形態とおりにＷＴＲＵは、８０２．１６／ＷｉＢｒｏモデムおよびＷＣＤＭＡモデムなどの１組のモデムを含むことができる。
【０００９】
図３は、一実施形態に係るワイヤレス通信のためのＰＣ３００を示す。ＰＣ３００は、グラフィカル・ユーザー・インターフェース（ＧＵＩ）をユーザーに提供するネットワーク接続マネージャー３０１を含む。ネットワーク接続マネージャー３０１は、ＭＩＨ  ＡＰＩ３１２によりＭＩＨミドルウェア３５０と通信する。ミドルウェア３５０は、ＭＩＨ  ＡＰＩ３１１によりＭＩＰ（Mobile Internet Protocol）クライアント３０２と通信状態である。ＭＩＨミドルウェア３５０は、オペレーティング・システム・ソケットＡＰＩ３０９により、ＰＣオペレーティングシステムのネットワーク・プロトコル・モジュール３１０と通信する。ネットワーク・プロトコル・モジュール３１０によって実装できるプロトコルは、ユーザー・データグラム・プロトコル（ＵＤＰ）、伝送制御プロトコル（ＴＣＰ）、およびインターネットプロトコル（ＩＰ）を含む。さらにＭＩＰクライアント３０２は、オペレーティング・システム・ソケットＡＰＩ３０９によりネットワーク・プロトコル・モジュール３０９と通信する。ＭＩＨミドルウェアは、ＭＩＨ  ＡＰＩ３１３により、ＷｉＦｉドライバー３０３およびＷｉＢｒｏドライバー３０４を含む複数のＲＡＴデバイスドライバーと通信する。ＷｉＦｉドライバー３０３は、ＷｉＦｉスタック３０６と通信状態であり、そしてＷｉＢｒｏドライバー３０４は、ＷｉＢｒｏスタック３０７と通信状態である。ＷｉＦｉスタック３０６は、例えばＭｉｎｉ  ＰＣＩ（Peripheral  Component  Interconnect）ＷｉＦｉカード３０８などのテクノロジーに統合できる。さらにミドルウェア３５０は、例えばＵＳＢ（Ｕｎｉｖｅｒｓａｌ  Ｓｅｒｉａｌ  Ｂｕｓ）、シリアルポート、またはＵＳＢにより実装される仮想シリアルポートなどの通信技術により、ＷＣＤＭＡスタック３０５と通信できる。ミドルウェア３５０がシリアルポートまたは仮想シリアルポートのテクノロジーによりＷＣＤＭＡスタック３０５と通信する場合、３ＧＰＰ準拠のＡＴコマンドを使用して専用通信ポートを通じてそうできる。一実施形態において、ＷＣＤＭＡスタック３０５は、例えばＵＳＢドングルなどのＵＳＢデバイス３１４に統合できる。ＷｉＢｒｏデバイスドライバー３０４とＷｉＢｒｏスタック３０７との間の通信は、例えばＵＳＢなどの通信技術により遂行できる。ＭＩＨミドルウェア３５０は、ＭＩＨアプリケーションと、例えばＭｉｃｒｏｓｏｆｔ  Ｗｉｎｄｏｗｓ（登録商標）アプリケーションなど他のオペレーティング・システム・アプリケーションとを使用して、他のファンクション、ドライバー、およびＲＡＴと通信できる。ＰＣオペレーティングシステムがＭｉｃｒｏｓｏｆｔ  Ｗｉｎｄｏｗｓ（登録商標）である場合、ＷｉＦｉは、ＯＩＤ（ObjectID）の使用によってオペレーティングシステムにサポートされる。一実施形態では、ＯＩＤを、ＭＩＨプリミティブにマッピングすることができ、すなわちこのような場合、ＭＩＨミドルウェア３５０は、リンク検出、ハンドオーバー検出などのためにＯＩＤを処理できる。
【００１０】
ＷｉＢｒｏからＷＣＤＭＡへおよびＷＣＤＭＡからＷｉＢｒｏへ渡るＭＩＨのハンドオーバーをサポートするアプローチは、ＷＣＤＭＡ無線アクセスによってではなくＭＩＨサーバーによって起動されるハンドオーバーと、ＷＴＲＵがＷＣＤＭＡネットワークにあるときにＷｉＢｒｏを検出することと、双方向ハンドオーバーを実行するポリシーとを含むことができる。さらに、例えばモバイルＩＰ（インターネットプロトコル）やbreak before makeなどのテクノロジーおよびアプローチを利用できる。
【００１１】
ＷｉＢｒｏ技術とＷＣＤＭＡ技術との間の双方向ハンドオーバーを促進にするために、ＭＩＨサーバー側は、ＷＣＤＭＡの状態のときにＷｉＢｒｏを検出する方法を含むことができる。これは、ＷＴＲＵがＷＣＤＭＡのサービスエリアにあるときにＷｉＢｒｏの近隣リストをＷＴＲＵに提供することによって遂行できる。ＷＣＤＭＡセルのトポロジーとＷｉＢｒｏセルのトポロジーとを関連させるデータベースをＭＩＨサーバーにおいて利用できる。あるいはまた、周期スキャンコマンドを、ＷｉＢｒｏの近隣を検索するためにＷＴＲＵに伝達できる。ＭＩＨサーバーは、ハンドオーバーを起動するポリシーを含むことができる。加えて、ＭＩＨメッセージングおよび関連付け処理をサポートするミドルウェアの側面は、ＷｉＢｒｏの近隣リストを取得すること、ＷｉＢｒｏに対する周期スキャンコマンド、ＷｉＢｒｏへ戻るＭＩＨ制御ハンドオーバーなどを含むことができる。
【００１２】
図４は、一実施形態に係るＷｉＢｒｏハンドオーバーの例示的なＷＣＤＭＡの登録手順の機能的なブロック図である。ＷＴＲＵ２００は、ＭＩＨミドルウェア２５０、ＷＣＭＤＡモデム２３０、およびＷＩＢＲＯモデム２２０を含む。ＷＣＤＭＡモデム２３０は、ＩＰスタック４６５と通信する。ＩＰスタック４６５は、ＩＰにより、ドメイン・ネーム・サーバー（ＤＮＳ）４７０、ＦＡ（Foreign Agent）サーバー４７５、およびＭＩＨサーバー４８０と通信する。ＩＰスタック４６５を、トランスポートレイヤーにおけるユーザー・データグラム・プロトコル（ＵＤＰ）または伝送制御プロトコル（ＴＣＰ）を使用するよう構成できる。
【００１３】
登録手順は、ＷＣＤＭＡネットワークにおいて開始される。ブロック４０１において、パケット・データ・プロトコル（ＰＤＰ）コンテキストがアクティベートされて、ＩＰ接続性がセットアップされている。ブロック４０２において、ミドルウェアインタラクションを開始する。ブロック４０３において、ＭＩＨミドルウェア２５０は、ＭＩＨ発見を開始するよう動作する。ブロック４０４において、ＷＣＤＭＡモデム２３０は、ＤＮＳ４７０と共にＭＩＨサーバー発見を実行する。ブロック４０５において、ＭＩＨミドルウェア２５０は、ホームエージェント（ＨＡ）ＩＰアドレスを取得するよう動作する。ホーム・エージェント・アドレス・クエリ・メッセージ４０６が、ＷＣＤＭＡモデム２３０に伝達される。ブロック４０７において、ＷＣＤＭＡモデム２３０は、ＩＰスタック４６５によって、ＦＡサーバー４７５へモバイルＩＰ  ＨＡアドレス用クエリを伝達する。ブロック４０８において、ＭＩＨミドルウェア２５０は、ＭＩＨセッションを開始するよう動作する。ＭＩＨセッションは、性能、発見、登録、イベント加入、およびリンク構成の各機能を含むことができる。ブロック４０９において、ＷＣＤＭＡモデム２３０は、ＩＰスタック４６５によってＭＩＨサーバー４８０へＭＩＨセッション開始メッセージを伝達する。
【００１４】
図４に示す手順の終わりに、状態１  ４１０に到達する。
【００１５】
図５は、別の実施形態に係るＷｉＢｒｏハンドオーバーの例示的なＷＣＤＭＡの登録手順の機能的なブロック図である。ＷＴＲＵ２００は、ＭＩＨミドルウェア２５０、ＷＣＭＤＡモデム２３０、およびＷＩＢＲＯモデム２２０を含む。ＷＣＤＭＡモデム２３０は、ＩＰスタック４６５と通信する。ＩＰスタック４６５は、ＩＰによりＭＩＨサーバー４８０と通信する。ＩＰスタック４６５を、トランスポートレイヤーにおいてＵＤＰまたはＴＣＰを使用するよう構成できる。図５に示すように、登録手順を、ＷＣＤＭＡハンドオーバー後に実行する。
【００１６】
ブロック５０１において、ＷＣＤＭＡハンドオーバーが首尾よく完了して、そしてＩＰ接続が確立される。ブロック５０２において、ミドルウェアインタラクションを開始する。ブロック５０３において、ＭＩＨミドルウェア２５０は、ＭＩＨサーバー４８０に登録するよう動作する。ブロック５０４において、ＷＣＤＭＡモデム２３０は、ＩＰスタック４６５によってＭＩＨサーバー４０８に再登録する。ブロック５０５において、ＭＩＨミドルウェア２５０は、ＭＩＨセッションを継続する。ＭＩＨセッションは、イベント加入およびリンク構成の機能を含む。ブロック５０６において、ＷＣＤＭＡモデム２３０は、ＩＰスタック４６５によってＭＩＨサーバー４８０にＭＩＨセッションの継続を伝達する。
【００１７】
図５に示す手順の終わりに、状態１  ４１０に到達する。
【００１８】
図６は、一実施形態に係るＷｉＢｒｏハンドオーバーの例示的なＷＣＤＭＡの検出手順の機能的なブロック図である。ＷＴＲＵ２００は、ＭＩＨミドルウェア２５０、ＷＣＭＤＡモデム２３０、およびＷＩＢＲＯモデム２２０を含む。ＷＣＤＭＡモデム２３０は、ＩＰスタック４６５と通信する。ＩＰスタック４６５は、ＩＰによりＭＩＨサーバー４８０と通信する。ＩＰスタック４６５を、トランスポートレイヤーにおいてＵＤＰまたはＴＣＰを使用するよう構成できる。図６の手順を、状態１  ４１０に到成したときに開始できる。
【００１９】
ブロック６０１に見られるように、ＷＣＤＭＡセッションが進行中である。６０２に見られるように、図６の手順では、ＷｉＢｒｏセルの利用可能性をプロプラエタリシステム情報（ＳＩ）により検出できる。６０３において、ＷＣＤＭＡモデム２３０は、ＷｉＢｒｏのサービスエリアの利用可能性を予測し、ＷｉＢｒｏ利用可能（リンク検出表示）メッセージ６０４によって予測を報告する。ブロック６０５において、ＭＩＨミドルウェア２５０は、ＷｉＢｒｏセルの利用可能性をＭＩＨサーバー４８０に通知するよう動作する。ＷｉＢｒｏセルの利用可能性を、ブロック６０６において、ＷＣＤＭＡモデム２３０によってＩＰスタック４６５により伝達する。ブロック６０５において、ＷｉＢｒｏのサービスエリアがない場合にＷＴＲＵがＷＣＤＭＡセルに戻るとき、ＲＯＬＬＢＡＣＫ＿ＩＮＤＩＣＡＴＩＯＮメッセージをＭＩＨサーバー４８０に送信できる。
【００２０】
ブロック６０７において、ＭＩＨサーバー４８０は、ＷｉＢｒｏセルのリストおよび報告しきい値を、ＷＣＤＭＡモデム２３０のＩＰスタック４６５によって送信した。ブロック６０８において、ＭＩＨミドルウェア２５０は、可能性あるハンドオーバー用のＷｉＢｒｏスタックを開始して、スキャン報告を要求するよう動作する。ブロック６０８の実行は、ＬＩＮＫ＿ＡＣＴＩＯＮ＿ＲＥＱＵＥＳＴメッセージ６０９をＷｉＢｒｏモデム２２０に送信することを含む。ブロック６１０において、ＷｉＢｒｏモデム２２０は、レシーバー（Ｒｘ）モードにてオンになり、そしてスキャンを開始する。次にＷｉＢｒｏモデム２２０は、ＬＩＮＫ＿ＡＣＴＩＯＮ＿ＣＯＮＦＩＲＭメッセージ６１１をＭＩＨミドルウェア２５０へ送信する。
【００２１】
ブロック６１２において、ＷＣＤＭＡモデム２３０は、ＷＣＤＭＡ測定報告６１３をＭＩＨミドルウェア２５０へ送信する。ブロック６１４において、ＷｉＢｒｏモデム２２０は、ＷｉＢｒｏスキャンの結果により内部しきい値を越えたことを示した後、ＷｉＢｒｏ測定報告６１５をＭＩＨミドルウェア２５０に周期的に提供する。
【００２２】
図６に示す手順の終わりに、状態２  ６９０に到達する。
【００２３】
図７は、別の実施形態に係るＷｉＢｒｏハンドオーバーの例示的なＷＣＤＭＡの検出手順の機能的なブロック図である。ＷＴＲＵ２００は、ＭＩＨミドルウェア２５０、ＷＣＭＤＡモデム２３０、およびＷＩＢＲＯモデム２２０を含む。ＷＣＤＭＡモデム２３０は、ＩＰスタック４６５と通信する。ＩＰスタック４６５は、ＩＰによりＭＩＨサーバー４８０と通信する。ＩＰスタック４６５を、トランスポートレイヤーにおいてＵＤＰまたはＴＣＰを使用するよう構成できる。ブロック７０１に見られるように、ＷＣＤＭＡセッションが進行中である。ブロック７０２に見られるように、図７の手順では、ＭＩＨサーバーへの周期的な登録により、ＭＩＨサーバーに、ＵＭＴＳ（universal mobile telecommunications system）のセルＩＤを識別させることができる。図７の手順を、状態１  ４１０に到達したときに開始できる。
【００２４】
ブロック７０３において、ＭＩＨサーバー４８０は、ＷｉＢｒｏセルのリストおよび報告用しきい値の要求を含む、スキャン要求を送信する。これは、ＭＩＨ＿ＳＣＡＮ＿ＲＥＱＵＥＳＴメッセージ７０４の形においてであるとすることができる。ブロック７０５において、ＭＩＨミドルウェア２５０は、可能性あるハンドオーバーのＷｉｂｒｏスタックを開始して、スキャン報告を要求するよう動作する。ＭＩＨミドルウェア２５０は、ＬＩＮＫ＿ＡＣＴＩＯＮ＿ＲＥＱＵＥＳＴメッセージ７０６をＷｉＢｒｏモデム２２０に送信することによって、ブロック７０５を実行できる。ブロック７０７において、ＷｉＢｒｏモデム２２０は、レシーバー（Ｒｘ）モードにてオンになり、そしてスキャンを開始する。次に、ＷｉＢｒｏモデムは、ＬＩＮＫ＿ＡＣＴＩＯＮ＿ＣＯＮＦＩＲＭメッセージ７０８をＭＩＨミドルウェア２５０へ送信する。
【００２５】
ブロック７１１において、ＷｉＢｒｏモデム２２０は、内部しきい値を越えた後、要求されたＷｉＢｒｏスキャンの結果を周期的に報告する。ＷｉＢｒｏモデム報告は、ＭＩＨミドルウェア２５０へのＷｉＢｒｏ測定報告７１２の形においてであるとすることができる。ブロック７０９において、ＷＣＤＭＡモデム２３０は、ＷＣＤＭＡ測定報告をＷＣＤＭＡ測定報告メッセージ７１０によってＭＩＨミドルウェア２５０へ送信する。
【００２６】
図７に示す手順の終わりに、状態２  ６９０に到達する。
【００２７】
図８は、別の実施形態に係るＷｉＢｒｏハンドオーバーの例示的なＷＣＤＭＡの検出手順の機能的なブロック図である。ＷＴＲＵ２００は、ＭＩＨミドルウェア２５０、ＷＣＭＤＡモデム２３０、およびＷＩＢＲＯモデム２２０を含む。図８の手順を、状態１  ４１０に到達したときに開始できる。
【００２８】
ブロック８０１に示すように、ＷＣＤＭＡセッションが進行中である。ブロック８０２において、ＭＩＨミドルウェア２５０は、継続的なスキャン用のＷｉＢｒｏモデム２２０を開始して、スキャン報告を要求するよう動作する。これは、ＷｉＢｒｏモデム２２０に伝達されるＬＩＮＫ＿ＡＣＴＩＯＮ＿ＲＥＱＵＥＳＴメッセージ８０３の形においてであるとすることができる。ブロック８０４において、ＷｉＢｒｏモデム２２０は、レシーバー（Ｒｘ）モードでオンになり、継続的なスキャンを開始する。ＷｉＢｒｏモデム２２０は、ＬＩＮＫ＿ＡＣＴＩＯＮ＿ＣＯＮＦＩＲＭメッセージ８０５をＭＩＨミドルウェア２５０へ送信できる。
【００２９】
ブロック８０９において、ＷＣＤＭＡモデム２３０は、ＷＣＤＭＡ測定報告をＷＣＤＭＡ測定報告メッセージ８０６によってＭＩＨミドルウェア２５０へ送信する。ステップ８０７において、ＷｉＢｒｏモデム２２０は、内部しきい値を越えた後、要求されたＷｉＢｒｏスキャンの結果を周期的に報告する。ＷｉＢｒｏモデム報告は、ＷｉＢｒｏ測定報告８０８の形においてＭＩＨミドルウェア２５０に送信できる。
【００３０】
図８に示す手順の終わりに、状態２  ６９０に到達する。
【００３１】
図９は、別の実施形態に係るＷｉＢｒｏハンドオーバーの、ＷＣＤＭＡのハンドオーバー起動手順および実行開始手順の機能的なブロック図である。ＷＴＲＵ２００は、ＭＩＨミドルウェア２５０、ＷＣＭＤＡモデム２３０、およびＷＩＢＲＯモデム２２０を含む。ＷＣＤＭＡモデム２３０は、ＩＰスタック４６５と通信する。ＩＰスタック４６５は、ＩＰによりＭＩＨサーバー４８０と通信する。ＩＰスタック４６５を、トランスポートレイヤーにおいてＵＤＰまたはＴＣＰを使用するよう構成できる。図９の手順を、状態２  ６９０に到達したときに開始できる。
【００３２】
ブロック９０１で、ＭＩＨミドルウェア２５０は、測定報告９０２をＭＩＨサーバー４８０へ送信するよう動作する。測定報告９０２を、ＭＩＨサーバー４８０によってＭＩＨ＿ＬＩＮＫ＿ＣＯＮＦＩＧＵＲＥ＿ＴＨＲＥＳＨＯＬＤＳコマンドにより設定されたしきい値を越えたときにＭＩＨサーバー４８０へ送信する。測定報告９０２を、ＭＩＨミドルウェア２５０からＷＣＤＭＡモデム２３０へ送信して、次にＷＣＤＭＡモデム２３０によってＩＰスタック４６５によりＭＩＨサーバー４８０へ送信する。
【００３３】
ブロック９０３において、ＷＣＤＭＡモデム２３０は、ハンドオーバーコマンドをＭＩＨサーバー４８０から受信する。次にハンドオーバーコマンドを、ＭＩＨミドルウェア２５０に伝達する。ブロック９０４において、ＷＣＤＭＡサービス品質（ＱｏＳ）を、ＷｉＢｒｏ  ＱｏＳにマッピングする。ブロック９０５において、ＭＩＨミドルウェア２５０は、ＷＣＤＭＡモデム２３０をパワーダウンするよう動作する。ＭＩＨミドルウェアは、ＬＩＮＫ＿ＡＣＴＩＯＮ＿ＲＥＱＵＥＳＴメッセージ９０６をＷＣＤＭＡモデム２３０へ送信して、ＷＣＤＭＡモデム２３０は、ブロック９０７において、受信モードのみの低電力モードに入る。ＷＣＤＭＡモデム２３０は、ＬＩＮＫ＿ＡＣＴＩＯＮ＿ＣＯＮＦＩＲＭメッセージ９０８をＭＩＨミドルウェア２５０へ送信できる。
【００３４】
ブロック９１０において、ＭＩＨミドルウェア２５０は、ＷｉＢｒｏへの切替えを実行する。ＬＩＮＫ＿ＡＣＴＩＯＮ＿ＲＥＱＵＥＳＴメッセージ９１１を、ＭＩＨミドルウェア２５０がＷｉＢｒｏモデム２２０へ送信する。ブロック９１２において、ＷｉＢｒｏモデム２２０は、トランスミッター（Ｔｘ）側においてパワーオンする。ＷｉＢｒｏモデム２２０は、ＬＩＮＫ＿ＡＣＴＩＯＮ＿ＣＯＮＦＩＲＭメッセージ９１３をＭＩＨミドルウェア２５０へ送信する。次にＭＩＨミドルウェア２５０は、Ｃ−ＮＥＭ−ＲＥＱ（ＲＥＧ）メッセージ９１５をＷｉＢｒｏモデム２２０へ送信する。ブロック９１４において、ＷｉＢｒｏモデム２２０は、ＷｉＢｒｏネットワークに登録する。ＷｉＢｒｏモデム２２０は、確認（ＯＫ）メッセージ９１６をＭＩＨミドルウェア２５０へ送信することによって、Ｃ−ＮＥＭ−ＲＥＱ（ＲＥＧ）メッセージ９１５に応答する。ＭＩＨミドルウェア２５０は、Ｃ−ＳＦＭ−ＲＥＱ（ＣＲＥＡＴＥ）メッセージ９１７をＷｉＢｒｏモデム２２０へ送信する。ＷｉＢｒｏモデム２２０は、新しいＱｏＳサービスフローを作成する。ＷｉＢｒｏモデム２２０は、確認（ＯＫ）メッセージ９１８をＭＩＨミドルウェア２５０へ送信することによって、Ｃ−ＳＦＭ−ＲＥＱ（ＣＲＥＡＴＥ）メッセージ９１７に応答する。
【００３５】
図８に示す手順の終わりに、状態３  ９９０に到達する。
【００３６】
図１０は、一実施形態に係るＷｉＢｒｏハンドオーバーの、ＷＣＤＭＡのハンドオーバー起動手順および実行終了手順の機能的なブロック図である。ＷＴＲＵ２００は、ＭＩＨミドルウェア２５０、ＷＣＭＤＡモデム２３０、およびＷＩＢＲＯモデム２２０を含む。ＷｉＢｒｏモデム２２０は、ＩＰスタック１０５０と通信する。ＩＰスタック４６５は、ＩＰによりＭＩＨサーバー４８０およびＦＡサーバー１０５５と通信する。ＩＰスタック４６５を、トランスポートレイヤーにおいてＵＤＰまたはＴＣＰを使用するよう構成できる。図１０の手順は、状態３  ９９０に到達したときに開始できる。
【００３７】
ブロック１００１において、ＭＩＨミドルウェア２５０は、モバイルＩＰバインディングを更新するよう動作する。モバイルＩＰ登録情報１００２を、ＭＩＨミドルウェア２５０とＷｉＢｒｏモデム２２０との間において伝達する。ブロック１００３において、ＦＡサーバー１０５５と共に発見を実行して、モバイルＩＰバインディング更新を実行する。ブロック１００３の動作を、ＩＰスタック１０５０によって実行する。ブロック１００４において、ＭＩＨミドルウェア２５０は、ＭＩＨ切替え応答を送信するよう動作する。ブロック１００６において、ＷｉＢｒｏモデム２２０は、ＩＰスタック１０５０によってＭＩＨサーバー４８０へＭＩＨ切替え応答を送信する。ブロック１０８０において、ＷｉＢｒｏデータセッションが進行中である。ブロック１００８において、ＭＩＨミドルウェア２５０は、ＷＣＤＭＡリンクを切断するよう動作する。ＭＩＨミドルウェア２５０は、ＬＩＮＫ＿ＡＣＴＩＯＮ＿ＲＥＱＵＥＳＴメッセージ１００９をＷＣＤＭＡモデム２３０へ送信する。ブロック１０１０において、ＷＣＤＭＡモデム２３０は、ＷＣＤＭＡをオフにして、ＬＩＮＫ＿ＡＣＴＩＯＮ＿ＣＯＮＦＩＲＭメッセージ１０１１を送信する。
【００３８】
ブロック１０１２において、ミドルウェアインタラクションを終了して、そして図１０の手順は終了する。
【００３９】
図１１は、一実施形態に係るＷＣＤＭＡハンドオーバーの例示的なＷｉＦｉの登録手順の機能的なブロック図である。ＷＴＲＵ２００は、ＭＩＨミドルウェア２５０、ＷｉＦｉモデム２１０、およびＷＣＤＭＡモデム２３０を含む。ＷｉＦｉモデム２１０は、ＩＰスタック１１６５と通信する。ＩＰスタック１１６５は、ＩＰにより、ＤＮＳ１１７０、ＦＡサーバー１１７５、およびＭＩＨサーバー４８０と通信する。ＩＰスタック１１６５を、トランスポートレイヤーにおいてＵＤＰまたはＴＣＰを使用するよう構成できる。
【００４０】
ブロック１１０１において、ミドルウェアインタラクションを開始する。ブロック１１０２において、ＭＩＨミドルウェア２５０は、ＭＩＨ発見を開始するよう動作する。ブロック１１０３において、ＷｉＦｉモデム２１０は、ＩＰスタック１１６５によってＤＮＳ１１７０へＭＩＨサーバー発見コマンドを伝達する。ブロック１００４において、ＭＩＨミドルウェア２５０は、ＨＡアドレスを取得するよう動作する。ＭＩＨミドルウェア２５０は、ホーム・エージェント・アドレス・クエリ・メッセージ１１０５をＷｉＦｉモデム２１０へ送信する。ブロック１１０６において、ＷｉＦｉモデム２１０は、モバイルＩＰ  ＨＡアドレスを問い合わせるコマンドを、ＩＰスタック１１７５によってＦＡサーバー１１７５へ伝達する。ブロック１１０７において、ＭＩＨミドルウェア２５０は、ＭＩＨハンドオーバーセッションを開始するよう動作する。ブロック１１０９において、ＷｉＦｉモデム２１０は、ＭＩＨセッションメッセージを、ＩＰスタック１１６５によってＭＩＨサーバー４８０へ伝達する。
【００４１】
図１１に示す手順の終わりに、状態１  １１９０に到達する。
【００４２】
図１２は、一実施形態に係るＷＣＤＭＡハンドオーバーの例示的なＷｉＦｉの検出手順の機能的なブロック図である。ＷＴＲＵ２００は、ＭＩＨミドルウェア２５０、ＷｉＦｉモデム２１０、およびＷＣＤＭＡモデム２３０を含む。図１０の手順を、状態１  １１９０に到達したときに開始できる。
【００４３】
ブロック１２０１に見られるように、ＷｉＦｉセッションが進行中である。ブロック１２０２において、ＭＩＨミドルウェア２５０は、メッセージ強度に関するＯＩＤの周期報告を要求するよう動作する。ＭＩＨミドルウェア２５０は、ＷｉＦｉ測定要求メッセージ１２０３をＷｉＦｉモデム２１０へ送信する。ブロック１２０４において、ＷｉＦｉモデム２１０は、信号強度報告を周期的に送信する。ブロック１２０５において、ＷｉＦｉモデム２１０は、ＷｉＦｉ測定報告メッセージ１２０６によってＭＩＨミドルウェア２５０へ信号強度データを伝達する。ブロック１２０７において、ＭＩＨミドルウェア２５０は、信号強度データを使用してＷｉＦｉのサービスエリアの終わりを予測する。ブロック１２０８において、ＷｉＦｉのサービスエリアの終わりの予測に応答して、ＭＩＨミドルウェア２５０は、可能性のあるハンドオーバーのためにＷＣＤＭＡモデム２３０を開始するよう動作する。ＭＩＨミドルウェア２５０は、開始メッセージ（ＡＴ＋ＣＦＵＮ）１２０９をＷＣＤＭＡモデム２３０へ送信する。ブロック１２１０において、ＷＣＤＭＡモデム２３０は、アイドルモードにおいて開始する。アイドルモードにおいて開始した後、ＷＣＤＭＡモデム２３０は、確認（ＯＫ）メッセージ１２１１を送信する。ブロック１２１２において、ＷｉＦｉモデム２１０は、信号強度情報をＭＩＨミドルウェア２５０へ提供し続ける。これは、ＷｉＦｉ測定報告メッセージ１２１３を伝達することによって実行される。ブロック１２１４において、ＭＩＨミドルウェア２５０は、信号品質情報を周期的に要求し続ける。これは、信号品質要求メッセージ（ＡＴ＋ＣＳＱ）１２１５を送信することによって実行される。ブロック１２１６において、ＷＣＤＭＡモデム２３０は、要求されたＷＣＤＭＡ信号強度情報を周期的に報告する。これは、信号強度応答（ＡＴ＋ＣＳＱ−＜ｒｓｓｉ＞，＜ｂｅｒ＞）メッセージ１２１７を送信することによって実行される。
【００４４】
図１２に示す手順の終わりに、状態２  １２９０に到達する。
【００４５】
図１３は、一実施形態に係るＷＣＤＭＡハンドオーバーの例示的なＷｉＦｉのハンドオーバー手順および実行開始手順の機能的なブロック図である。ＷＴＲＵ２００は、ＭＩＨミドルウェア２５０、ＷｉＦｉモデム２１０、およびＷＣＤＭＡモデム２３０を含む。ＷｉＦｉモデム２１０は、ＩＰスタック１１６５と通信する。ＩＰスタック１１６５は、ＩＰによりＭＩＨサーバー４８０と通信する。ＩＰスタック１１６５を、トランスポートレイヤーにおいてＵＤＰまたはＴＣＰを使用するよう構成できる。図１３の手順を、状態２  １２９０に到達したときに開始できる。
【００４６】
ブロック１３０１において、ＭＩＨミドルウェア２５０は、ＭＩＨサーバーによって設定されたしきい値を越えたときに測定報告をＭＩＨサーバー４８０に送信するよう動作する。しきい値は、ＭＩＨ＿ＬＩＮＫ＿ＣＯＮＦＩＧＵＲＥ＿ＴＨＲＥＳＨＯＬＤＳコマンドによってＭＩＨサーバーからＭＩＨミドルウェアへ伝達できる。ブロック１３０２において、ＷｉＦｉモデム２１０は、信号強度報告を、ＩＰスタック１１６５によってＭＩＨサーバー４８０へ伝達する。報告に応答して、ＭＩＨサーバー４８０は、ハンドオーバーを開始できる。ブロック１３０３において、ＷｉＦｉモデムは、ハンドオーバーコマンドをＭＩＨサーバー１３０３から受信する。次にＷｉＦｉモデム２１０は、コマンドをＭＩＨミドルウェア２５０へ送信する。
【００４７】
ブロック１３０４において、ＷｉＦｉサービス品質（ＱＯＳ）を、ＭＩＨミドルウェア２５０によりＷＣＤＭＡ  ＱｏＳへマッピングする。これは、新しいＰＤＰコンテキストをＷＣＤＭＡモデム２３０において作成してＷＣＤＭＡ  Ｑｏｓプロファイルを指定することによって実行される。新しいＰＤＰコンテキストを作成するために、新規ＰＤＰコンテキスト作成メッセージ（ＡＴ＋ＣＧＤＣＯＮＴ）１３０５を、ＭＩＨミドルウェア２５０によってＷＣＤＭＡモデム２３０へ伝達する。ブロック１３０６において、ＷＣＤＭＡモデム２３０は、新しいＰＤＰコンテキストを作成する。次にＷＣＤＡモデム２３０は、確認（ＯＫ）メッセージ１３０７をＭＩＨミドルウェア２５０へ送信する。ＭＩＨミドルウェア２５０は、プロファイル指定（ＡＴ＋ＣＧＥＱＲＥＱ）メッセージ１３０８をＷＣＤＭＡモデム２３０へ送信する。ブロック１３０９において、ＷＣＤＭＡモデム２３０は、ＰＤＰコンテキストのＱｏＳプロファイルを格納する。次にＷＣＤＭＡモデム２３０は、確認（ＯＫ）メッセージ１３０１をＭＩＨミドルウェア２５０へ送信する。
【００４８】
ブロック１３１１において、ＭＩＨミドルウェア２５０は、ＷＣＤＭＡへ切り替えるよう動作する。ＭＩＨミドルウェア２５０は、パケット交換（ＰＳ）アタッチ（ＡＴ＋ＣＧＡＴＴ）メッセージをＷＣＤＭＡモデム２３０へ送信する。ブロック１３１３において、ＷＣＤＭＡモデム２３０は、接続モード（ＣＥＬＬ＿ＤＣＨ状態）に入る。ＷＣＤＭＡモデム２３０は、確認（ＯＫ）メッセージ１３１４をＭＩＨミドルウェア２５０へ送信する。ＭＩＨミドルウェア２５０は、ネットワーク登録状態（ＡＴ＋ＣＧＡＴＴ？）メッセージ１３１５をＷＣＤＭＡモデム２３０へ送信する。ブロック１３１６において、ＷＣＤＭＡモデム２３０は、登録状態コードメッセージ１３１７を送信することによって、ネットワーク登録状態の変化を報告する。ＭＩＨミドルウェア２５０は、ＰＤＰコンテキストアクティベート（ＡＴ＋ＣＧＡＣＴ）メッセージ１３１８をＷＤＭＣＡモデム２３０へ送信する。ブロック１３１９において、ＷＣＤＭＡモデム２３０は、複数のＰＤＰコンテキストをアクティベートして、無線アクセスベアラー（ＲＡＢ）を確立する。ＷＣＤＭＡモデム２３０は、確認（ＯＫ）メッセージ１３２０をＭＩＨミドルウェア２５０へ送信する。次にＭＩＨミドルウェア２５０は、現設定要求（ＡＴ＋ＣＧＥＱＲＥＱ？）メッセージ１３２１をＷＣＤＭＡモデム２３０へ送信する。ブロック１３２２において、ＷＣＤＭＡモデム２３０は、各々定義されたコンテキストの現在の設定を戻す。これは、現設定メッセージ１３２３をＭＩＨミドルウェア２５０へ送信することによって実行される。
【００４９】
図１３に示す手順の終わりに、状態３  １３９０に到達する。
【００５０】
図１４は、一実施形態に係るＷＣＤＭＡハンドオーバーの例示的なＷｉＦｉのハンドオーバー終了実行手順の機能的なブロック図を示す。ＷＴＲＵ２００は、ＭＩＨミドルウェア２５０、ＷｉＦｉモデム２１０、およびＷＣＤＭＡモデム２３０を含む。ＷＣＤＭＡモデム２３０は、ＩＰスタック４６５と通信する。ＩＰスタック４６５は、ＩＰによってＭＩＨサーバー４８０およびＦＡサーバー４７５と通信する。ＩＰスタック４６５は、トランスポートレイヤーにおいてＵＤＰまたはＴＣＰを使用するよう構成できる。図１４の手順を、状態３  １３９０に到達したときに開始できる。
【００５１】
ブロック１４０１において、ＭＩＨミドルウェア２５０はデータ状態に入る。ＭＩＨミドルウェア２５０は、ＡＴ＋ＣＧＤＡＴＡメッセージ１４０２をＷＣＤＭＡモデム２３０へ送信する。ブロック１４０３において、ＷＣＤＭＡモデムは、パケット交換（ＰＳ）セッションを設定する。次に、接続メッセージ１４０４をＭＩＨミドルウェア２５０へ伝達する。ブロック１４０５において、ＭＩＨミドルウェアは、モバイルＩＰバインディング更新を開始するよう動作する。ＭＩＨミドルウェアは、モバイルＩＰ登録開始メッセージ１４０６をＷＣＤＭＡモデム２３０へ送信する。ブロック１４０７において、ＦＡサーバー１０５５と共に発見を実行して、モバイルＩＰバインディング更新を実行する。ブロック１４０７のアクションを、ＩＰスタック４６５によって実行する。ブロック１４０８において、ＭＩＨミドルウェア２５０は、ＭＩＨ切替え応答送信をＷＣＤＭＡモデム２３０へ送信する。ブロック１４０９において、ＷＣＤＭＡモデム２３０は、ＩＰスタック４６５によってＭＩＨサーバー４８０へＭＩＨ切替え応答を送信する。ブロック１４１０において、ＭＩＨミドルウェア２５０は、リンク切替えコマンドを送信してＷｉＦｉリンクを切断する。これは、ＬＩＮＫ＿ＡＣＴＩＯＮ＿ＲＥＱＵＥＳＴメッセージ１４１１をＷｉＦｉモデム２１０へ送信することによって実行される。ブロック１４１２において、ＷｉＦｉモデム２１０、はＷｉＦｉをオフにする。次にＷｉＦｉモデム２１０は、ＬＩＮＫ＿ＡＣＴＩＯＮ＿ＣＯＮＦＩＲＭメッセージ１４１３をＭＩＨミドルウェア２５０へ送信する。ブロック１４１５において、ミドルウェアインタラクションを終了して、そして図１４の手順は、終了する。
【００５２】
図１５は、一実施形態に係るＷｉＦｉハンドオーバーの、ＷＣＤＭＡの登録手順の機能的なブロック図である。ＷＴＲＵ２００は、ＭＩＨミドルウェア２５０、ＷＣＤＭＡモデム２３０、およびＷｉＦｉモデム２１０を含む。ＷＣＤＭＡモデム２３０は、ＩＰスタック４６５と通信する。ＩＰスタック４６５は、ＩＰによって、ＭＩＨサーバー４８０、ＦＡサーバー４７５、およびＤＮＳ４７０と通信する。ＩＰスタック４６５は、トランスポートレイヤーにおいてＵＤＰまたはＴＣＰを使用するよう構成できる。
【００５３】
ブロック１５０１に見られるように、ＰＤＰコンテキストがアクティベートされて、ＩＰ接続性が設定されている。ブロック１５０２において、ＭＩＨミドルウェアインタラクションを開始する。ブロック１５０４において、ＭＩＨミドルウェア２５０は、ＭＩＨ発見を開始するよう動作する。ブロック１５０３において、ＷＣＤＭＡモデム２３０は、ＩＰスタック４６５によりＤＮＳ１４７０へ要求を送信することによって、ＭＩＨサーバー発見を実行するよう動作する。ブロック１５０７において、ＭＩＨミドルウェア２５０は、ホームエージェントＩＰアドレスを取得するよう動作する。これは、ホーム・エージェント・アドレス・クエリ・メッセージ１５０６をＷＣＤＭＡモデム２３０へ送信することによって実行される。ブロック１５０５において、ＷＣＤＭＡモデム２３０は、ＷＴＲＵのモバイルＩＰ  ＨＡアドレスを、ＩＰスタック４６５によりＦＡサーバー４７５に問い合わせる。ブロック１５０９において、ＭＩＨミドルウェア１５０６は、ＭＩＨセッションを開始するよう動作する。ＭＩＨセッションは、性能、発見、登録、イベント加入、およびリンク構成の各機能を含むことができる。ブロック１５０８において、ＷＣＤＭＡモデム２３０は、ＩＰスタック４６５によってＭＩＨサーバー４８０へＭＩＨセッション開始メッセージを伝達する。
【００５４】
図１５に示す手順の終わりに、状態１  １５９０に到達成する。
【００５５】
図１６は、代替の実施形態に係るＷｉＦｉハンドオーバーの、ＷＣＤＭＡの代替の登録手順の機能的なブロック図である。ＷＴＲＵ２００は、ＭＩＨミドルウェア２５０、ＷＣＤＭＡモデム２３０、およびＷｉＦｉモデム２１０を含む。ＷＣＤＭＡモデム２３０は、ＩＰスタック４６５と通信する。ＩＰスタック４６５は、ＩＰによってＭＩＨサーバー４８０と通信する。ＩＰスタック４６５は、トランスポートレイヤーにおいてＵＤＰまたはＴＣＰを使用するよう構成できる。
【００５６】
ブロック１６０１に見られるように、ＷＴＲＵは、ＷＣＤＭＡへのハンドオーバーを首尾よく完了しており、ＩＰ接続が確立されている。ＭＩＨミドルウェア２５０は、すでに実行されている。ブロック１６０２において、ミドルウェアインタラクションを開始する。ブロック１６０３において、ＭＩＨミドルウェア２５０は、ＭＩＨサーバー４８０に登録するよう動作する。ブロック１６０４において、ＷＣＤＭＡモデム２３０は、ＩＰスタック４６５によってＭＩＨサーバー４８０に再登録する。ブロック１６０５において、ＭＩＨミドルウェア１６０５は、ＭＩＨセッションを継続する。ＭＩＨセッションは、イベント加入およびリンク構成の機能を含むことができる。ブロック１６０６において、ＷＣＤＭＡモデム２３０は、ＩＰスタック４６５によりＭＩＨサーバー４８０に通信することによって、ＭＩＨセッションを継続する。
【００５７】
図１６に示す手順の終わりに、状態１  １５９０に到達する。
【００５８】
図１７は、一実施形態に係るＷｉＦｉハンドオーバーの、ＷＣＤＭＡの検出手順の機能的なブロック図である。ＷＴＲＵ２００は、ＭＩＨミドルウェア２５０、ＷＣＤＭＡモデム２３０、およびＷｉＦｉモデム２１０を含む。ＷＣＤＭＡモデム２３０は、ＩＰスタック４６５と通信する。ＩＰスタック４６５は、ＩＰによりＭＩＨサーバー４８０と通信する。ＩＰスタック４６５は、トランスポートレイヤーによってＵＤＰまたはＴＣＰを使用するよう構成できる。図１７の手順を、状態１  １５９０に到達したときに開始できる。
【００５９】
ブロック１７０１に見られるように、ＷＣＤＭＡセッションが進行中である。ブロック１７０２において、プロプラエタリシステム情報（ＳＩ）によりＷｉＦｉセルの利用可能性を検出する。ブロック１７０３において、ＷＣＤＭＡモデム２３０は、ＷｉＦｉのサービスエリアの利用可能性を予測して、予測をＭＩＨミドルウェア２５０へ報告する。これは、ＷｉＦｉ利用可能（ＬＩＮＫ＿ＤＥＴＥＣＴＥＤ＿ＩＮＤＩＣＡＴＩＯＮ）メッセージ１７０４をＭＩＨミドルウェア２５０へ送信することによって実行される。ブロック１７０５において、ＭＩＨミドルウェア２５０は、ＷｉＦｉセルの利用可能性をＭＩＨサーバー４８０へ通知するよう動作する。ブロック１７０６において、ＷＣＤＭＡモデム２３０は、ＩＰスタック４６５によりＭＩＨサーバー４８０と通信することによって、ＭＩＨサーバー４８０にＷｉＦｉセルの利用可能性について通知する。ブロック１７０６の実行は、ＬＩＮＫ＿ＤＥＴＥＣＴＥＤ＿ＩＮＤＩＣＡＴＩＯＮメッセージをＭＩＨサーバー４８０へ伝達することを含む。ブロック１７０７において、ＭＩＨサーバー４８０は、ＷｉＦｉセルのリストおよび報告しきい値を、ＩＰスタック４６５によってＷＣＤＭＡモデム２３０へ伝達する。次にＷＣＤＭＡモデム２３０は、この情報をＭＩＨミドルウェア２５０へ伝達する。ブロック１７０８において、ＭＩＨミドルウェア２５０は、可能性あるハンドオーバー用のＷｉＦｉスタックを開始して、スキャン報告を要求するよう動作する。これは、ＬＩＮＫ＿ＡＣＴＩＯＮ＿ＲＥＱＵＥＳＴメッセージ１７０９をＷｉＦｉモデム２１０へ送信することによって実行される。ブロック１７１０において、ＷｉＦｉモデムは、受信モードにてオンになって、スキャンを開始する。次にＷｉＦｉモデム２１０は、ＬＩＮＫ＿ＡＣＴＩＯＮ＿ＣＯＮＦＩＲＭメッセージ１７１１をＭＩＨミドルウェア２５０へ送信する。ブロック１７１２において、ＷｉＦｉモデムは、周期的に、スキャン結果を生成して、ＷｉＦｉ測定報告１７１３をＭＩＨミドルウェア２５０へ伝達する。ブロック１７１４において、ＷＣＤＭＡモデムは、ＷＣＤＭＡ測定報告１７１５をＭＩＨミドルウェア２５０へ送信する。
【００６０】
図１７に示す手順の終わりに、状態２  １７９０に到達する。
【００６１】
図１８は、代替の実施形態に係るＷｉＦｉハンドオーバーの、ＷＣＤＭＡの代替の検出手順の機能的なブロック図である。ＷＴＲＵ２００は、ＭＩＨミドルウェア２５０、ＷＣＤＭＡモデム２３０、およびＷｉＦｉモデム２１０を含む。ＷＣＤＭＡモデム２３０は、ＩＰスタック４６５と通信する。ＩＰスタック４６５は、ＩＰによりＭＩＨサーバー４８０と通信する。ＩＰスタック４６５は、トランスポートレイヤーにおいてＵＤＰまたはＴＣＰを使用するよう構成できる。図１８の手順を、状態１  １５９０に到達したときに開始できる。
【００６２】
ブロック１８０１に見られるように、ＷＣＭＤＡセッションが進行中である。ブロック１８０２に見られるように、ＭＩＨサーバーへの周期的な登録を実行して、ＭＩＨサーバーにＵＭＴＳセルＩＤの認識を可能にする。ブロック１８０３において、ＭＩＨサーバー４８０は、スキャン要求をＷＣＤＭＡモデム２３０へ伝達する。この要求は、ＷｉＦｉセルのリストおよび報告用しきい値を含む。ＷＣＤＭＡモデム２３０は、ＭＩＨ＿ＳＣＡＮ＿ＲＥＱＵＥＳＴメッセージをＭＩＨミドルウェア２５０へ送信する。ブロック１８０５において、ＭＩＨミドルウェア２５０は、可能性あるハンドオーバー用のＷｉＦＩスタックを開始して、スキャン報告を要求するよう動作する。ブロック１８０５の実行は、ＬＩＮＫ＿ＡＣＴＩＯＮ＿ＲＥＱＵＥＳＴメッセージ１８０６をＷｉＦｉモデム２１０へ伝達することを含む。ブロック１８０７において、ＷｉＦｉモデム２１０は、受信モードにてオンになって、スキャンを開始する。ＷｉＦｉモデム２１０は、ＬＩＮＫ＿ＡＣＴＩＯＮ＿ＣＯＮＦＩＲＭメッセージ１８０８をＭＩＨミドルウェア２５０へ伝達する。ブロック１８１０において、ＷｉＦｉモデム２１０は、周期的に、要求されたスキャン結果を生成して、ＷｉＦｉ測定報告１８０９をＭＩＨミドルウェア２５０へ送信する。ブロック１８１１において、ＷＣＤＭＡモデム２３０は、ＷＣＤＭＡ測定報告１８１２をＭＩＨミドルウェア２５０へ送信する。
【００６３】
図１８に示す手順の終わりに、状態２  １７９０に到達する。
【００６４】
図１９は、代替の実施形態に係るＷｉＦｉハンドオーバーの、ＷＣＤＭＡの代替の検出手順の機能的なブロック図である。ＷＴＲＵ２００は、ＭＩＨミドルウェア２５０、ＷＣＤＭＡモデム２３０、およびＷｉＦｉモデム２１０を含む。図１９の手順を、状態１  １５９０に到達成したときに開始できる。
【００６５】
ブロック１９０１に見られるように、ＷＣＤＭＡセッションが進行中である。ブロック１９０２において、ＭＩＨミドルウェアは、継続的なスキャン用のＷｉＦｉスタックを開始して、スキャン報告を要求するよう動作する。ブロック１９０２の実行は、ＬＩＮＫ＿ＡＣＴＩＯＮ＿ＲＥＱＵＥＳＴメッセージ１９０３をＷｉＦｉモデム２１０へ送信することを含む。ブロック１９０４において、ＷｉＦｉモデム２１０は、受信モードにてオンになって、継続的なスキャンを開始する。ＷｉＦｉモデム２１０は、ＬＩＮＫ＿ＡＣＴＩＯＮ＿ＣＯＮＦＩＲＭメッセージ１９０５をＭＩＨミドルウェア２５０へ送信する。ブロック１９０６において、ＷｉＦｉモデム２１０は、周期的に、要求されたスキャン結果を生成して、ＷｉＦｉ測定報告１９０７をＭＩＨミドルウェア２５０へ伝達する。ブロック１９０８において、ＷＣＤＭＡモデムは、ＷＣＤＭＡ測定報告１９０９をＭＩＨミドルウェア２５０へ送信する。
【００６６】
図１９に示す手順の終わりに、状態２  １７９０に到達する。
【００６７】
図２０は、一実施形態に係るＷｉＦｉハンドオーバーの、ＷＣＤＭＡのハンドオーバー起動手順および実行開始手順の機能的なブロック図である。ＷＴＲＵ２００は、ＭＩＨミドルウェア２５０、ＷＣＤＭＡモデム２３０、およびＷｉＦｉモデム２１０を含む。ＷＣＤＭＡモデム２３０は、ＩＰスタック４６５と通信する。ＩＰスタック４６５は、ＩＰによりＭＩＨサーバー４８０と通信する。ＩＰスタック４６５は、トランスポートレイヤーにおいてＵＤＰまたはＴＣＰを使用するよう構成できる。図２０の手順を、状態２  １７９０に到達したときに開始できる。
【００６８】
ＭＩＨサーバー４８０は、ＭＩＨ＿ＬＩＮＫ＿ＣＯＮＦＩＧＵＲＥ＿ＴＨＲＥＳＨＯＬＤＳコマンドをＷＴＲＵへ送信する。ブロック２００３において、コマンドにより設定されたしきい値を越えたときに、ＭＩＨミドルウェア２５０は、測定報告をＭＩＨサーバー４８０へ伝達するよう動作する。報告は、ＷＣＤＭＡモデム２３０によってＩＰスタック４６５によりＭＩＨサーバー４８０へ伝達される。ブロック２００８において、ＷＣＤＭＡモデム２３０は、ＩＰスタック４６５によってＭＩＨサーバー４８０からハンドオーバーコマンドを受信する。次にＷＣＤＭＡモデム２３０は、ハンドオーバーコマンドをＭＩＨミドルウェア２５０へ伝達する。
【００６９】
ブロック２００９において、ＭＩＨミドルウェア２５０は、ＷＣＤＭＡ  ＱｏＳをＷｉＦｉ  ＱｏＳへマッピングする。ブロック２０１０において、ＭＩＨミドルウェア２５０は、ＷＣＤＭＡモデム２３０をパワーダウンするよう動作する。ブロック２０１０の実行は、ＬＩＮＫ＿ＡＣＴＩＯＮ＿ＲＥＱＵＥＳＴメッセージ２０１１をＷＣＤＭＡモデム２３０へ送信することを含む。ブロック２０１２において、ＷＣＤＭＡモデム２３０は、低電力／受信のみのモードに入る。次にＷＣＤＭＡモデム２３０は、ＬＩＮＫ＿ＡＣＴＩＯＮ＿ＣＯＮＦＩＲＭメッセージ２０１３をＭＩＨミドルウェア２５０へ送信する。
【００７０】
ブロック２０１４において、ＭＩＨミドルウェア２５０は、ＷｉＦｉに切り替えるよう動作する。ＭＩＨミドルウェアは、ＬＩＮＫ＿ＡＣＴＩＯＮ＿ＲＥＱＵＥＳＴメッセージ２０１５をＷｉＦｉモデム２１０へ送信する。ブロック２１０６において、ＷｉＦｉモデム２１０は、その送信側をパワーオンして、ＷｉＦｉネットワークに登録する。次にＷｉＦｉモデム２１０は、ＬＩＮＫ＿ＡＣＴＩＯＮ＿ＣＯＮＦＩＲＭメッセージ２０１７をＭＩＨミドルウェア２５０へ送信する。次にＭＩＨミドルウェア２５０は、ＱｏＳを指定するＱｏＳメッセージ２０１８をＷｉＦｉモデム２１０へ送信する。ブロック２０１９において、ＷｉＦｉモデム２１０は、ＱｏＳフローを作成する。次にＷｉＦｉモデムは、確認（ＯＫ）メッセージ２０２０をＭＩＨミドルウェア２５０へ送信する。
【００７１】
図２０に示す手順の終わりに、状態３  ２０９０に到達する。
【００７２】
図２１は、一実施形態に係るＷｉＦｉハンドオーバーの、ＷＣＤＭＡのハンドオーバー終了実行手順の機能的なブロック図である。ＷＴＲＵ２００は、ＭＩＨミドルウェア２５０、ＷＣＤＭＡモデム２３０、およびＷｉＦｉモデム２１０を含む。ＷｉＦｉモデム２１０は、ＩＰスタック１１６５と通信する。ＩＰスタック１１６５は、ＩＰによりＦＡサーバー１１７５およびＭＩＨサーバー４８０と通信する。ＩＰスタック１１６５は、トランスポートレイヤーにおいてＵＤＰまたはＴＣＰを使用するよう構成できる。図２１の手順を、状態３  ２０９０に到達成したときに開始できる。
【００７３】
ブロック２１０１において、ＭＩＨミドルウェア２５０は、モバイルＩＰバインディング更新を開始するよう動作する。モバイルＩＰ登録情報２１０２を、ＭＩＨミドルウェア２５０とＷｉＦｉモデム２１０との間において伝達する。ブロック２１０３において、ＷｉＦｉモデム２１０は、ＦＡサーバー１１７５と共に発見を実行して、モバイルＩＰバインディング更新を実行する。ブロック２１０３のアクションは、ＩＰスタック１１６５により実行される。
【００７４】
ブロック２１０４において、ＭＩＨミドルウェア２５０は、ＭＩＨ切替え応答送信をＷｉＦｉモデム２１０へ送信するよう動作する。ブロック２１０５において、ＷｉＦｉモデム２１０は、ＩＰスタック１１６５によってＭＩＨ切替え応答をＭＩＨサーバー４８０へ送信する。ブロック２１０６に見られるように、ＷｉＦｉデータセッションが進行中である。
【００７５】
ブロック２１０７において、ＭＩＨミドルウェア２５０は、ＷＣＤＭＡリンクを切断するよう動作する。これは、ＬＩＮＫ＿ＡＣＴＩＯＮ＿ＲＥＱＵＥＳＴメッセージ２１０８をＷＣＤＭＡモデム２３０へ送信することによって実行される。ブロック２１０９において、ＷＣＤＭＡモデム２３０は、ＷＣＤＭＡをオフにする。次にＷＣＤＭＡモデム２３０は、ＬＩＮＫ＿ＡＣＴＩＯＮ＿ＣＯＮＦＩＲＭメッセージ２１１０をＭＩＨミドルウェア２５０へ送信する。ブロック２１１５において、ミドルウェアインタラクションを終了して、そして図２１の手順は、終了する。
【００７６】
本発明の特徴および要素を、個々の組合せにより望ましい実施形態において説明したが、各特徴または要素を、望ましい実施形態の他の特徴および要素なしに単独において、または本発明の他の特徴および要素の有無にかかわらず種々の組合せにより使用できる。本発明において提供される方法またはフローチャートを、汎用コンピューターまたはプロセッサによる実行のためにコンピューター読み取り可能な記憶媒体に明白に具体化されたコンピュータープログラム、ソフトウェアまたはファームウェアに実装できる。コンピューター読み取り可能な記憶媒体の例は、読み取り専用メモリ（ＲＯＭ）、ランダム・アクセス・メモリ（ＲＡＭ）、レジスター、キャッシュメモリ、半導体メモリデバイス、例えば内蔵ハードディスク、取り外し可能なディスクなどの磁気媒体、光磁気媒体、および例えばＣＤ−ＲＯＭディスク、デジタル多用途ディスク（ＤＶＤ）などの光学媒体を含む。
【００７７】
適したプロセッサは、例として、汎用プロセッサ、専用プロセッサ、従来型プロセッサ、デジタル信号プロセッサ（ＤＳＰ）、複数のマイクロプロセッサ、ならびにＤＳＰコア、コントローラー、マイクロコントローラー、特定用途向け集積回路（ＡＳＩＣ）、フィールド・プログラマブル・ゲート・アレイ（ＦＰＧＡ）回路、他のあらゆる型の集積回路（ＩＣ）および／または状態マシンに関連した１つまたは複数のマイクロプロセッサを含む。
【００７８】
ソフトウェアに関連したプロセッサを使用して、ワイヤレス送受信ユニット（ＷＴＲＵ）、ユーザー機器（ＵＥ）、端末、基地局、無線ネットワークコントローラー（ＲＮＣ）、またはあらゆるホストコンピューターにおいて使用する無線周波数トランシーバーを実装できる。ＷＴＲＵを、例えば、カメラ、ビデオ・カメラ・モジュール、ビデオホン、スピーカーホン、振動デバイス、スピーカー、マイクロホン、テレビジョントランシーバー、ハンズ・フリー・ヘッドセット、キーボード、Ｂｌｕｅｔｏｏｔｈ（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレイヤー、メディアプレイヤー、ビデオ・ゲーム・プレイヤー・モジュール、インターネットブラウザー、および／またはあらゆるワイヤレス・ローカル・エリア・ネットワーク（ＷＬＡＮ）モジュールなど、ハードウェアおよび／またはソフトウェアに実装されるモジュールと共に使用できる。
【００７９】
（実施形態）
１．広帯域符号分割多元接続（ＷＣＤＭＡ）モデムと、別の技術タイプに属する別のモデムと、ＭＩＨ（Media Independent Handover）ミドルウェアを作動させるよう構成されたプロセッサとを備えたＷＴＲＵ。  
２．ＭＩＨミドルウェアは、ＷＣＭＤＡモデムによりＭＩＨサーバーからＭＩＨリンク構成しきい値メッセージを受信して、ＭＩＨリンク構成しきい値メッセージに基づいてしきい値を設定して、しきい値を越えたときを決定して、しきい値を越えたことの決定に応答して、ＷＣＭＤＡモデムによりＭＩＨサーバーへ測定報告を伝達するよう構成された実施形態１のＷＴＲＵ。  
３．ＷＣＤＭＡモデムは、測定報告に応答して、ＷＣＤＭＡ接続によりＭＩＨサーバーからハンドオーバーコマンドを受信して、ハンドオーバーコマンドをＭＩＨミドルウェアへ伝達するよう構成された実施形態１−２のＷＴＲＵ。  
４．ＭＩＨミドルウェアは、ハンドオーバーコマンドに応答して、ＷＣＤＭＡサービス品質（ＱｏＳ）を別の技術タイプのＱｏｓにマッピングして、別の技術タイプのＱｏｓへのＷＣＤＭＡ  Ｑｏｓのマッピングの完了に応答して、パワーダウンコマンドをＷＣＤＭＡモデムへ伝達するようさらに構成された実施形態１−３のＷＴＲＵ。  
５．ＷＣＤＭＡモデムは、パワーダウンコマンドに応答して、受信のみのモードにパワーダウンして、パワーダウンのＡＣＫ（acknowledgement）をＭＩＨミドルウェアへ伝達するようさらに構成された実施形態１−４のＷＴＲＵ。  
６．ＭＩＨミドルウェアおよび別のモデムは、パワーダウンのＡＣＫに応答して、別のモデムへの切替えを実行するよう構成され、別のモデムは、別のモデムの送信側をパワーオンして、別の技術タイプのネットワークに登録して、ＱｏＳフローを作成して、切替え確認をＭＩＨミドルウェアへ伝達するよう構成された実施形態１−５のＷＴＲＵ。  
７．ＭＩＨミドルウェアは、切替え確認に応答して、モバイルＩＰ登録開始メッセージを別のモデムへ伝達するようさらに構成された実施形態１−６のＷＴＲＵ。  
８．別のモデムは、モバイルＩＰ登録開始メッセージに応答して、ＦＡ（Foreign Agent）サーバーによるモバイルＩＰバインディング更新を実行するようさらに構成された実施形態１−７のＷＴＲＵ。  
９．ＭＩＨミドルウェアは、モバイルＩＰバインディング更新の完了に応答して、ＭＩＨ切替え応答メッセージを別のモデムへ伝達するようさらに構成された実施形態１−８のＷＴＲＵ。  
１０．別のモデムは、ＭＩＨ切替え応答メッセージに応答して、ＭＩＨ切替え応答メッセージをＭＩＨサーバーへ伝達するようさらに構成された実施形態１−９のＷＴＲＵ。  
１１．ＭＩＨミドルウェアは、ＭＩＨサーバーへのＭＩＨ切替え応答メッセージの伝達の完了に応答して、切断メッセージをＷＣＤＭＡモデムへ伝達するようさらに構成された実施形態１−１０のＷＴＲＵ。  
１２．ＷＣＭＤＡモデムは、切断メッセージに応答して、ＷＣＤＭＡ接続を終了して、ＷＣＭＤＡ切断確認をＭＩＨミドルウェアへ伝達するようさらに構成された実施形態１−１１のＷＴＲＵ。  
１３．ＭＩＨミドルウェアは、初期化の開始に応答して、ＷＣＤＭＡモデムによりＭＩＨ発見メッセージをドメイン・ネーム・システム（ＤＮＳ）サーバーへ伝達するよう構成された実施形態１−１２のＷＴＲＵ。  
１４．ＭＩＨミドルウェアは、ＭＩＨ発見メッセージの伝達の完了に応答して、ＷＣＤＭＡモデムによりホームエージェントＩＰアドレスクエリをＦＡサーバーへ伝達して、ホームエージェントＩＰアドレスクエリの伝達の完了に応答して、ＷＣＤＭＡモデムによりＭＩＨセッション開始メッセージをＭＩＨサーバーへ伝達するようさらに構成された実施形態１−１３のＷＴＲＵ。  
１５．ＭＩＨミドルウェアは、ＷＣＤＭＡネットワークへのハンドオーバーの成功に応答して、ＷＣＤＭＡモデムによりＭＩＨサーバー登録メッセージをＭＩＨサーバーへ伝達して、ＭＩＨサーバー登録メッセージの伝達の完了に応答して、ＷＣＤＭＡモデムによりＭＩＨセッション継続メッセージをＭＩＨサーバーへ伝達するよう構成された実施形態１−１４のＷＴＲＵ。  
１６．ＷＣＤＭＡモデムは、セッション進行中にプロプラエタリシステム情報（ＳＩ）によって別の技術タイプのセルの利用可能性を検出するよう構成され、第１のセル利用可能性メッセージをＭＩＨミドルウェアへ伝達するよう構成された実施形態１−１５のＷＴＲＵ。  
１７．ＭＩＨミドルウェアは、第１のセル利用可能性メッセージに応答して、第２のセル利用可能性メッセージをＷＣＤＭＡモデムへ伝達するよう構成された実施形態１−１６のＷＴＲＵ。  
１８．ＷＣＤＭＡモデムは、第２のセル利用可能性メッセージに応答して、第２のセル利用可能性メッセージをＭＩＨサーバーへ伝達するようさらに構成され、第２のセル利用可能性メッセージに応答して、セルリストおよび報告しきい値メッセージをＭＩＨサーバーから受信して、セルリストおよび報告しきい値メッセージをＭＩＨミドルウェアへ伝達するようさらに構成された実施形態１−１７のＷＴＲＵ。  
１９．ＭＩＨミドルウェアは、セルリストおよび報告しきい値メッセージに応答して、パワーオンおよびスキャン開始メッセージを別のモデムへ伝達するようさらに構成された実施形態１−１８のＷＴＲＵ。  
２０．別のモデムは、パワーオンおよびスキャン開始メッセージに応答して、レシーバーモードにおいてオンになり、スキャンを開始して、パワーオンおよびスキャン開始確認をＭＩＨミドルウェアへ伝達して、内部しきい値を越えたときに測定報告をＭＩＨミドルウェアへ周期的に伝達するようさらに構成された実施形態１−１９のＷＴＲＵ。  
２１．ＷＣＤＭＡモデムは、ＭＩＨミドルウェアへのセルリストおよび報告しきい値メッセージの伝達の完了に応答して、ＷＣＤＭＡ測定報告をＭＩＨミドルウェアへ伝達するようさらに構成された実施形態１−２０のＷＴＲＵ。  
２２．ＷＣＤＭＡモデムは、ＷＣＤＭＡセッション進行中にＭＩＨスキャン要求メッセージをＭＩＨサーバーから受信するよう構成され、スキャン要求メッセージは第２の技術のセルのリストと報告用しきい値とを含み、ＷＣＤＭＡモデムは、ＭＩＨスキャン要求メッセージをＭＩＨミドルウェアへ伝達するよう構成された実施形態１−２１のＷＴＲＵ。  
２３．ＭＩＨミドルウェアは、ＭＩＨスキャン要求メッセージに応答して、パワーオンおよびスキャン開始メッセージを別のモデムへ伝達するよう構成された実施形態１−２２のＷＴＲＵ。  
２４．別のモデムは、パワーオンおよびスキャン開始メッセージに応答して、レシーバーモードにおいてオンになり、スキャンを開始して、パワーオンおよびスキャン開始確認をＭＩＨミドルウェアへ伝達し、内部しきい値を越えたときに測定報告をＭＩＨミドルウェアにへ周期的に伝達するよう構成された実施形態１−２３のＷＴＲＵ。  
２５．ＷＣＤＭＡモデムは、ＭＩＨミドルウェアへのＭＩＨスキャン要求メッセージの伝達の完了に応答して、ＷＣＤＭＡ測定報告をＭＩＨミドルウェアへ伝達するようさらに構成された実施形態１−２４のＷＴＲＵ。  
２６．ＭＩＨミドルウェアは、ＷＣＤＭＡセッション進行中に継続的なスキャンおよび報告要求メッセージを別のモデムへ伝達するよう構成された実施形態１−２５のＷＴＲＵ。  
２７．別のモデムは、継続的なスキャンおよび報告要求メッセージに応答して、レシーバーモードにおいてオンになり、継続的なスキャンを開始して、継続的なスキャンおよび報告要求確認をＭＩＨミドルウェアへ伝達して、内部しきい値を越えたときに測定報告をＭＩＨミドルウェアへ周期的に伝達するよう構成された実施形態１−２６のＷＴＲＵ。  
２８．ＷＣＤＭＡモデムは、進行中のＷＣＤＭＡセッションに応答して、ＷＣＤＭＡ測定報告をＭＩＨミドルウェアへ伝達するよう構成された実施形態１−２７のＷＴＲＵ。  
２９．別の技術はワイヤレスブロードバンド（ＷｉＢｒｏ）技術であり、別のモデムはＷｉＢｒｏモデムである実施形態１−２８のＷＴＲＵ。  
３０．ＷＴＲＵはＩＥＥＥ８０２．１１ｘ（ＷｉＦｉ）モデムをさらに含む実施形態２９のＷＴＲＵ。  
３１．別の技術はＩＥＥＥ８０２．１１ｘ（ＷｉＦｉ）技術であり、別のモデムはＷｉＦｉモデムである実施形態１−２８のＷＴＲＵ。  
３２．ＷＴＲＵはワイヤレスブロードバンド（ＷｉＢｒｏ）モデムをさらに含む実施形態１−２８、３０のＷＴＲＵ。  
３３．広帯域符号分割多元接続（ＷＣＤＭＡ）モデムと、ＩＥＥＥ８０２．１１ｘ（ＷｉＦｉ）モデムと、ＭＩＨミドルウェアを作動させるよう構成されたプロセッサとを備えたＷＴＲＵ。  
３４．ＭＩＨミドルウェアは、ＷｉＦｉモデムによりＭＩＨサーバーからＭＩＨリンク構成しきい値メッセージを受信して、ＭＩＨリンク構成しきい値メッセージに基づいてしきい値を設定して、しきい値を越えたときを決定して、しきい値を越えたことの決定に応答して、ＷｉＦｉモデムにより測定報告をＭＩＨサーバーへ伝達するよう構成された実施形態３３のＷＴＲＵ。  
３５．ＷｉＦｉモデムは、測定報告に応答して、ＷｉＦｉ接続によりＭＩＨサーバーからハンドオーバーコマンドを受信して、ハンドオーバーコマンドをＭＩＨミドルウェアへ伝達するよう構成された実施形態３３−３４のＷＴＲＵ。  
３６．ＭＩＨミドルウェアは、ハンドオーバーコマンドに応答して、新規ＰＤＰコンテキスト作成（ＡＴ＋ＣＤＧＣＯＮＴ）メッセージをＷＣＤＭＡモデムへ伝達するようさらに構成された実施形態３３−３５のＷＴＲＵ。  
３７．ＷＣＤＭＡモデムは、新規ＰＤＰコンテキスト作成（ＡＴ＋ＣＤＧＣＯＮＴ）メッセージに応答して、新しいＰＤＰコンテキストを作成して、新規ＰＤＰコンテキスト作成（ＡＴ＋ＣＤＧＣＯＮＴ）確認をＭＩＨミドルウェアへ伝達するよう構成された実施形態３３−３６のＷＴＲＵ。  
３８．ＭＩＨミドルウェアは、新規ＰＤＰコンテキスト作成（ＡＴ＋ＣＤＧＣＯＮＴ）確認に応答して、ＷＣＤＭＡサービス品質（ＱｏＳ）プロファイル（ＡＴ＋ＣＧＥＱＲＥＱ）メッセージをＷＣＤＭＡモデムへ伝達するようさらに構成された実施形態３３−３７のＷＴＲＵ。  
３９．ＷＣＤＭＡモデムは、ＷＣＤＭＡ  ＱｏＳプロファイル（ＡＴ＋ＣＧＥＱＲＥＱ）メッセージに応答して、新しいＰＤＰコンテキストについてのＱｏＳプロファイルを格納して、ＷＣＤＭＡ  ＱｏＳプロファイル（ＡＴ＋ＣＧＥＱＲＥＱ）確認をＭＩＨミドルウェアへ伝達するようさらに構成された実施形態３３−３８のＷＴＲＵ。  
４０．ＭＩＨミドルウェアは、ＷＣＤＭＡ  ＱｏＳプロファイル（ＡＴ＋ＣＧＥＱＲＥＱ）確認に応答して、パケット交換（ＰＳ）アタッチ（ＡＴ＋ＣＧＡＴＴ）メッセージをＷＣＤＭＡモデムへ伝達するようさらに構成された実施形態３３−３９のＷＴＲＵ。  
４１．ＷＣＤＭＡモデムは、ＰＳアタッチ（ＡＴ＋ＣＧＡＴＴ）メッセージに応答して、接続モードに入り、ＰＳアタッチ（ＡＴ＋ＣＧＡＴＴ）確認をＭＩＨミドルウェアへ送信するようさらに構成された実施形態３３−４０のＷＴＲＵ。  
４２．ＭＩＨミドルウェアは、ＰＳアタッチ（ＡＴ＋ＣＧＡＴＴ）確認に応答して、ネットワーク登録状態（ＡＴ＋ＣＧＡＴＴ）メッセージをＷＣＤＭＡモデムへ伝達するようさらに構成された実施形態３３−４１のＷＴＲＵ。  
４３．ＷＣＤＭＡモデムは、ネットワーク登録状態（ＡＴ＋ＣＧＡＴＴ）メッセージに応答して、ネットワーク登録状態の変化を報告して、登録状態コードメッセージをＭＩＨミドルウェアへ伝達するようさらに構成された実施形態３３−４２のＷＴＲＵ。  
４４．ＭＩＨミドルウェアは、登録状態コードメッセージに応答して、ＰＤＰコンテキストアクティベート（ＡＴ＋ＧＣＡＣＴ）メッセージをＷＣＤＭＡモデムへ伝達するようさらに構成された実施形態３３−４３のＷＴＲＵ。  
４５．ＷＣＤＡモデムは、ＰＤＰコンテキストアクティベート（ＡＴ＋ＧＣＡＣＴ）メッセージに応答して、複数のＰＤＰコンテキストをアクティベートして、無線アクセスベアラ（ＲＡＢ）を確立して、ＰＤＰコンテキストアクティベート（ＡＴ＋ＧＣＡＣＴ）確認をＭＩＨミドルウェアへ伝達するようさらに構成された実施形態３３−４４のＷＴＲＵ。  
４６．ＭＩＨミドルウェアは、ＰＤＰコンテキストアクティベート（ＡＴ＋ＧＣＡＣＴ）確認に応答して、現設定要求（ＡＴ＋ＣＧＥＱＲＥＱ？）メッセージをＷＣＤＭＡモデムへ伝達するようさらに構成された実施形態３３−４５のＷＴＲＵ。  
４７．ＷＣＤＡモデムは、現設定要求（ＡＴ＋ＣＧＥＱＲＥＱ？）メッセージに応答して、現設定メッセージをＭＩＨミドルウェアへ伝達するようさらに構成され、現設定メッセージは、アクティベートされた複数のＰＤＰコンテキストについての設定を示す実施形態３３−４６のＷＴＲＵ。  
４８．ＭＩＨミドルウェアは、現設定メッセージに応答して、データ状態に入り、ＰＳセッションセットアップ（ＡＴ＋ＣＧＤＡＴＡ）メッセージをＷＣＤＭＡモデムへ伝達するようにさらに構成された、実施形態３３−４７のＷＴＲＵ。  
４９．ＷＣＤＡモデムは、ＰＳセッション設定（ＡＴ＋ＣＧＤＡＴＡ）メッセージに応答して、ＰＳセッションを設定して、次に接続メッセージをＭＩＨミドルウェアへ伝達するようさらに構成された実施形態３３−４８のＷＴＲＵ。  
５０．ＭＩＨミドルウェアは、接続メッセージに応答して、モバイルＩＰ登録開始メッセージをＷＣＤＭＡモデムへ伝達するようさらに構成された実施形態３３−４９のＷＴＲＵ。  
５１．ＷＣＤＭＡモデムは、モバイルＩＰ登録開始メッセージに応答して、ＦＡサーバーによるモバイルＩＰバインディング更新を実行するようさらに構成された実施形態３３−５０のＷＴＲＵ。  
５２．ＭＩＨミドルウェアは、モバイルＩＰバインディング更新の完了に応答して、ＭＩＨ切替え応答メッセージをＷＣＤＭＡモデムへ伝達するようさらに構成された実施形態３３−５１のＷＴＲＵ。  
５３．ＷＣＤＭＡモデムは、ＭＩＨ切替え応答メッセージに応答して、ＭＩＨ切替え応答メッセージをＭＩＨサーバーへ伝達して、ＭＩＨサーバーへのＭＩＨ切替え応答メッセージの伝達の完了に応答して、切断メッセージをＷｉＦｉモデムへ伝達するようさらに構成された実施形態３３−５２のＷＴＲＵ。  
５４．ＷｉＦｉモデムは、切断メッセージに応答して、ＷｉＦｉ接続を終了して、ＷｉＦｉ切断確認をＭＩＨミドルウェアへ伝達するようさらに構成された実施形態３３−５３のＷＴＲＵ。  
５５．ＭＩＨミドルウェアは、初期化の開始に応答して、ＷｉＦｉモデムによりＭＩＨ発見メッセージをＤＮＳサーバーへ伝達して、ＭＩＨ発見メッセージの伝達の完了に応答して、ＷｉＦｉモデムによりホームエージェントＩＰアドレスクエリをＦＡサーバーへ伝達して、ホームエージェントＩＰアドレスクエリの伝達の完了に応答して、ＷｉＦｉモデムによりＭＩＨセッション開始メッセージをＭＩＨサーバーへ伝達するようさらに構成された実施形態３３−５４のＷＴＲＵ。  
５６．ＭＩＨミドルウェアは、ＷｉＦｉセッション進行中にＷｉＦｉ測定要求をＷｉＦｉモデムへ伝達するようさらに構成された実施形態３３−５５のＷＴＲＵ。  
５７．ＷｉＦｉモデムは、ＷｉＦｉ測定要求に応答して、ＷｉＦｉ測定報告をＭＩＨミドルウェアへ伝達して、ＷｉＦｉ測定報告をＭＩＨミドルウェアへ伝達し続けるようさらに構成された実施形態３３−５６のＷＴＲＵ。  
５８．ＭＩＨミドルウェアは、ＷｉＦｉ測定報告に応答して、ＷｉＦｉのサービスエリアの終わりの予測を決定して、ＷｉＦｉのサービスエリアの終わりの予測に応答して、ＷＣＤＭＡ開始（ＡＴ＋ＣＦＵＮ）メッセージをＷＣＤＭＡモデムへ伝達するようさらに構成された実施形態３３−５７のＷＴＲＵ。  
５９．ＷＣＤＭＡモデムは、ＷＣＤＭＡ開始（ＡＴ＋ＣＦＵＮ）メッセージに応答して、アイドルモードにおいて開始し、ＷＣＤＭＡ開始（ＡＴ＋ＣＦＵＮ）確認をＭＩＨミドルウェアへ伝達するようさらに構成された実施形態３３−５８のＷＴＲＵ。  
６０．ＭＩＨミドルウェアは、ＷＣＤＭＡ開始（ＡＴ＋ＣＦＵＮ）確認に応答して、信号品質要求（ＡＴ＋ＣＳＱ）メッセージをＷＣＤＭＡモデムへ伝達するようさらに構成された実施形態３３−５９のＷＴＲＵ。  
６１．ＷＣＤＭＡモデムは、信号品質要求（ＡＴ＋ＣＳＱ）メッセージに応答して、信号品質応答（ＡＴ＋ＣＳＱ−＜ｒｓｓｉ＞，＜ｂｅｒ＞）メッセージをＭＩＨミドルウェアへ周期的に伝達するようさらに構成された実施形態３３−６０のＷＴＲＵ。  
６２．ワイヤレスブロードバンド（ＷｉＢｒｏ）モデムをさらに備えた実施形態３３−６１のＷＴＲＵ。  
６３．実施形態２９のプロセッサ、ＷＣＤＭＡモデム、ＷｉＦｉモデム、およびＭＩＨミドルウェアは、実施形態３４−６１のプロセッサ、ＷＣＤＭＡモデム、ＷｉＦｉモデム、およびＭＩＨミドルウェアと同様に構成された実施形態２９のＷＴＲＵ。  
６４．ワイヤレスブロードバンド（ＷｉＢｒｏ）モデムをさらに備えた実施形態６３のＷＴＲＵ。  
６５．インターネットプロトコル（ＩＰ）によって実行される通信の少なくとも一部はユーザデータグラムプロトコル（ＵＤＰ）を使用する上記実施形態のいずれかにおけるＷＴＲＵ。
【図１】
2010539811.tif 000003
【図２】
2010539811.tif 000004
【図３】
2010539811.tif 000005
【図４】
2010539811.tif 000006
【図５】
2010539811.tif 000007
【図６】
2010539811.tif 000008
【図７】
2010539811.tif 000009
【図８】
2010539811.tif 000010
【図９】
2010539811.tif 000011
【図１０】
2010539811.tif 000012
【図１１】
2010539811.tif 000013
【図１２】
2010539811.tif 000014
【図１３】
2010539811.tif 000015
【図１４】
2010539811.tif 000016
【図１５】
2010539811.tif 000017
【図１６】
2010539811.tif 000018
【図１７】
2010539811.tif 000019
【図１８】
2010539811.tif 000020
【図１９】
2010539811.tif 000021
【図２０】
2010539811.tif 000022
【図２１】
2010539811.tif 000023
【手続補正書】
【提出日】平成21年7月13日(2009.7.13)
【手続補正１】
【補正対象書類名】明細書
【補正対象項目名】００１２
【補正方法】変更
【補正の内容】
【００１２】
図４は、一実施形態に係るＷｉＢｒｏハンドオーバーの例示的なＷＣＤＭＡの登録手順の機能的なブロック図である。ＷＴＲＵ２００は、ＭＩＨミドルウェア２５０、ＷＣＤＭＡモデム２３０、およびＷｉＢｒｏモデム２２０を含む。ＷＣＤＭＡモデム２３０は、ＩＰスタック４６５と通信する。ＩＰスタック４６５は、ＩＰにより、ドメイン・ネーム・サーバー（ＤＮＳ）４７０、ＦＡ（Foreign Agent）サーバー４７５、およびＭＩＨサーバー４８０と通信する。ＩＰスタック４６５を、トランスポートレイヤーにおけるユーザー・データグラム・プロトコル（ＵＤＰ）または伝送制御プロトコル（ＴＣＰ）を使用するよう構成できる。
【手続補正２】
【補正対象書類名】明細書
【補正対象項目名】００１５
【補正方法】変更
【補正の内容】
【００１５】
図５は、別の実施形態に係るＷｉＢｒｏハンドオーバーの例示的なＷＣＤＭＡの登録手順の機能的なブロック図である。ＷＴＲＵ２００は、ＭＩＨミドルウェア２５０、ＷＣＤＭＡモデム２３０、およびＷｉＢｒｏモデム２２０を含む。ＷＣＤＭＡモデム２３０は、ＩＰスタック４６５と通信する。ＩＰスタック４６５は、ＩＰによりＭＩＨサーバー４８０と通信する。ＩＰスタック４６５を、トランスポートレイヤーにおいてＵＤＰまたはＴＣＰを使用するよう構成できる。図５に示すように、登録手順を、ＷＣＤＭＡハンドオーバー後に実行する。
【手続補正３】
【補正対象書類名】明細書
【補正対象項目名】００３１
【補正方法】変更
【補正の内容】
【００３１】
図９は、別の実施形態に係るＷｉＢｒｏハンドオーバーの、ＷＣＤＭＡのハンドオーバー起動手順および実行開始手順の機能的なブロック図である。ＷＴＲＵ２００は、ＭＩＨミドルウェア２５０、ＷＣＤＭＡモデム２３０、およびＷｉＢｒｏモデム２２０を含む。ＷＣＤＭＡモデム２３０は、ＩＰスタック４６５と通信する。ＩＰスタック４６５は、ＩＰによりＭＩＨサーバー４８０と通信する。ＩＰスタック４６５を、トランスポートレイヤーにおいてＵＤＰまたはＴＣＰを使用するよう構成できる。図９の手順を、状態２  ６９０に到達したときに開始できる。
【手続補正４】
【補正対象書類名】明細書
【補正対象項目名】００３６
【補正方法】変更
【補正の内容】
【００３６】
図１０は、一実施形態に係るＷｉＢｒｏハンドオーバーの、ＷＣＤＭＡのハンドオーバー起動手順および実行終了手順の機能的なブロック図である。ＷＴＲＵ２００は、ＭＩＨミドルウェア２５０、ＷＣＤＭＡモデム２３０、およびＷｉＢｒｏモデム２２０を含む。ＷｉＢｒｏモデム２２０は、ＩＰスタック１０５０と通信する。ＩＰスタック４６５は、ＩＰによりＭＩＨサーバー４８０およびＦＡサーバー１０５５と通信する。ＩＰスタック４６５を、トランスポートレイヤーにおいてＵＤＰまたはＴＣＰを使用するよう構成できる。図１０の手順は、状態３  ９９０に到達したときに開始できる。
【手続補正５】
【補正対象書類名】特許請求の範囲
【補正対象項目名】全文
【補正方法】変更
【補正の内容】
【特許請求の範囲】
【請求項１】
広帯域符号分割多元接続（ＷＣＤＭＡ）モデムと、
別の技術タイプに属する別のモデムと、
ＭＩＨ（Media Independent Handover）ミドルウェアを作動させるよう構成されたプロセッサと
を備えたデュアルモードのＷＴＲＵであって、
前記ＷＣＤＭＡモデムはＷＣＤＭＡ接続を使用してＭＩＨサーバーと通信するよう構成され、前記ＭＩＨミドルウェアは、前記ＷＣＤＭＡモデムにより前記ＭＩＨサーバーからのハンドオーバーコマンドを受信して、前記ハンドオーバーコマンドに応答して、ＷＣＤＭＡサービス品質（ＱｏＳ）を前記別の技術タイプのＱｏＳへマッピングするよう構成され、
前記ＭＩＨミドルウェアおよび前記ＷＣＭＤＡモデムは、前記別の技術タイプのＱｏＳへのマッピングに応答して、前記ＷＣＤＭＡモデムをパワーダウンするようさらに構成され、
前記ＭＩＨミドルウェアおよび前記別のモデムは、前記ＷＣＤＭＡモデムのパワーダウンに応答して、前記別のモデムへの切替えを実行し、モバイル・インターネット・プロトコル・バインディング更新を実行し、ＭＩＨ切替え応答を前記ＭＩＨサーバーへ伝達するようさらに構成され、
前記ＭＩＨミドルウェアおよび前記別のモデムは、前記別のモデムをレシーバーモードにおいて開始するようさらに構成され、
前記ＭＩＨミドルウェアおよび前記ＷＣＤＭＡモデムは、前記ＭＩＨ切替え応答の伝達に応答して、前記ＷＣＤＭＡ接続を終了するようさらに構成され、
前記ＭＩＨミドルウェアは、前記別のモデムのレシーバーモードにおける開始に応答して、ＷＣＤＭＡ測定報告を前記ＷＣＤＭＡモデムから受信して、前記別の技術タイプの測定報告を前記別のモデムから受信するようさらに構成され、
前記ＷＣＤＭＡモデムは、セッション進行中にプロプラエタリシステム情報によって前記別の技術タイプのセルの利用可能性を検出して、サービスエリア予測を前記ＭＩＨミドルウェアへ伝達するようさらに構成され、
前記ＭＩＨミドルウェアおよび前記ＷＣＤＭＡモデムは、前記サービスエリア予測に応答して、セル利用可能性メッセージを前記ＭＩＨサーバーへ伝達するようさらに構成され、
前記ＭＩＨミドルウェアは、前記セル利用可能性メッセージの伝達に応答して、前記ＷＣＤＭＡモデムにより前記ＭＩＨサーバーからスキャン要求メッセージを受信するようさらに構成され、前記スキャン要求メッセージは前記別の技術タイプのセルのリストと報告しきい値とを含み、
前記ＭＩＨミドルウェアおよび前記別のモデムは、前記スキャン要求メッセージに応答して前記別のモデムをレシーバーモードにおいてオンにすることを実行するようさらに構成されたことを特徴とするＷＴＲＵ。
【請求項２】
前記別の技術はＷｉＢｒｏ（Wireless Broadband）技術であり、前記別のモデムはＷｉＢｒｏモデムであることを特徴とする請求項１に記載のＷＴＲＵ。
【請求項３】
前記別の技術はＩＥＥＥ８０２．１１ｘ（ＷｉＦｉ）技術であり、前記別のモデムはＷｉＦｉモデムであることを特徴とする請求項１に記載のＷＴＲＵ。
【請求項４】
前記ＭＩＨミドルウェアおよび前記ＷＣＤＭＡモデムは、初期化の開始に応答して、ＭＩＨサーバー発見を実行し、ホーム・エージェント・インターネット・プロトコル・アドレスを取得し、ＭＩＨセッションを開始するようさらに構成されたことを特徴とする請求項１に記載のＷＴＲＵ。
【請求項５】
前記別の技術はＷｉＢｒｏ技術であり、前記別のモデムはＷｉＢｒｏモデムであることを特徴とする請求項４に記載のＷＴＲＵ。
【請求項６】
前記別の技術はＩＥＥＥ８０２．１１ｘ（ＷｉＦｉ）技術であり、前記別のモデムはＷｉＦｉモデムであることを特徴とする請求項４に記載のＷＴＲＵ。
【請求項７】
前記ＭＩＨミドルウェアおよび前記ＷＣＤＭＡモデムは、ＷＣＤＭＡネットワークへのハンドオーバーの成功に応答して、前記ＭＩＨサーバーに再登録し、ＭＩＨセッション継続メッセージを前記ＭＩＨサーバーへ伝達するようさらに構成されたことを特徴とする請求項１に記載のＷＴＲＵ。
【請求項８】
前記別の技術はＷｉＢｒｏ技術であり、前記別のモデムはＷｉＢｒｏモデムであることを特徴とする請求項７に記載のＷＴＲＵ。
【請求項９】
前記別の技術はＩＥＥＥ８０２．１１ｘ（ＷｉＦｉ）技術であり、前記別のモデムはＷｉＦｉモデムであることを特徴とする請求項７に記載のＷＴＲＵ。
【請求項１０】
前記ＷＣＤＭＡモデムは、進行中のセッションに応答して、前記ＭＩＨサーバーへ周期的に登録するようさらに構成され、
前記ＭＩＨミドルウェアは、前記ＭＩＨサーバーへの周期的な登録中に、前記ＷＣＤＭＡモデムにより前記ＭＩＨサーバーからスキャン要求メッセージを受信するようさらに構成され、前記スキャン要求メッセージは前記別の技術タイプのセルのリストと報告しきい値とを含み、
前記ＭＩＨミドルウェアおよび前記別のモデムは、前記スキャン要求メッセージに応答して前記別のモデムをレシーバーモードにおいてオンにすることを実行するようさらに構成されたことを特徴とする請求項１に記載のＷＴＲＵ。
【請求項１１】
前記別の技術はＷｉＢｒｏ技術であり、前記別のモデムはＷｉＢｒｏモデムであることを特徴とする請求項１０に記載のＷＴＲＵ。
【請求項１２】
前記別の技術はＩＥＥＥ８０２．１１ｘ（ＷｉＦｉ）技術であり、前記別のモデムはＷｉＦｉモデムであることを特徴とする請求項１０に記載のＷＴＲＵ。
【請求項１３】
広帯域符号分割多元接続（ＷＣＤＭＡ）モデムと、
ＩＥＥＥ８０２．１１ｘ（ＷｉＦｉ）モデムと、
ＭＩＨミドルウェアを作動させるよう構成されたプロセッサと
を備えたデュアルモードのＷＴＲＵであって、
前記ＷｉＦｉモデムはＷｉＦｉ接続を使用してＭＩＨサーバーと通信するように構成され、前記ＭＩＨミドルウェアは、前記ＷｉＦｉモデムにより前記ＭＩＨサーバーからハンドオーバーコマンドを受信して、ＷｉＦｉサービス品質（ＱｏＳ）をＷＣＤＭＡ  ＱｏＳへマッピングするよう構成され、
前記ＭＩＨミドルウェアおよび前記ＷＣＤＭＡモデムは、前記ＷＣＤＭＡ  ＱｏＳへのマッピングに応答して、ＷＣＤＭＡへの切替えを実行し、パケット交換（ＰＳ）セッションを設定し、モバイル・インターネット・プロトコル・バインディング更新を実行し、ＭＩＨ切替え応答を前記ＭＩＨサーバーへ伝達するようさらに構成され、
前記ＭＩＨミドルウェアおよび前記ＷＣＤＭＡモデムは、前記ＷＣＤＭＡモデムをレシーバーモードにおいて開始するようさらに構成され、
前記ＭＩＨミドルウェアは、前記ＷＣＤＭＡモデムのレシーバーモードにおける開始に応答して、ＷｉＦｉ測定報告を前記ＷｉＦｉモデムから受信して、前記ＷＣＤＭＡ接続の測定報告を前記ＷＣＤＭＡのモデムから受信するようさらに構成され、
前記ＷｉＦｉモデムは、セッション進行中にプロプラエタリシステム情報によってＷＣＤＭＡのセルの利用可能性を検出して、サービスエリア予測を前記ＭＩＨミドルウェアへ伝達するようさらに構成され、
前記ＭＩＨミドルウェアおよび前記ＷＣＤＭＡモデムは、前記サービスエリア予測に応答して、セル利用可能性メッセージを前記ＭＩＨサーバーへ伝達するようさらに構成され、
前記ＭＩＨミドルウェアは、前記セル利用可能性メッセージの伝達に応答して、前記ＷｉＦｉモデムにより前記ＭＩＨサーバーからスキャン要求メッセージを受信するようさらに構成され、前記スキャン要求メッセージは前記ＷＣＤＭＡのセルのリストと報告しきい値とを含み、
前記ＭＩＨミドルウェアおよび前記ＷｉＦｉモデムは、前記スキャン要求メッセージに応答して前記ＷＣＤＭＡモデムをレシーバーモードにおいてオンにすることを実行するようさらに構成され、
前記ＭＩＨミドルウェアおよび前記ＷｉＦｉモデムは、前記ＭＩＨ切替え応答の伝達に応答して、前記ＷｉＦｉ接続を終了するようさらに構成されたことを特徴とするＷＴＲＵ。
【請求項１４】
前記ＭＩＨミドルウェアおよび前記ＷｉＦｉモデムは、初期化の開始に応答して、ＭＩＨサーバー発見を実行し、ホーム・エージェント・インターネット・プロトコル・アドレスを取得し、ＭＩＨセッションを開始するようさらに構成されたことを特徴とする請求項１３に記載のＷＴＲＵ。
【請求項１５】
前記ＭＩＨミドルウェアは、ＷｉＦｉ測定報告を前記ＷｉＦｉモデムから受信して、ＷｉＦｉのサービスエリアの終わりを予測するようさらに構成され、
前記ＭＩＨミドルウェアおよび前記ＷＣＤＭＡモデムは、前記ＷｉＦｉのサービスエリアの終わりの予測に応答して、前記ＷＣＭＤＡモデムをアイドルモードにおいて開始するようさらに構成され、
前記ＭＩＨミドルウェアは、前記レシーバーモードにおいて作動するＷＣＤＭＡモデムに応答して、追加のＷｉＦｉ測定報告を前記ＷｉＦｉモデムから受信して、ＷＣＤＭＡ測定報告を前記ＷＣＤＭＡモデムから受信するようさらに構成されたことを特徴とする請求項１３に記載のＷＴＲＵ。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
広帯域符号分割多元接続（ＷＣＤＭＡ）モデムと、
別の技術タイプに属する別のモデムと、
ＭＩＨ（Media Independent Handover）ミドルウェアを作動させるよう構成されたプロセッサと
を備えたデュアルモードのＷＴＲＵであって、
前記ＷＣＤＭＡモデムはＷＣＤＭＡ接続を使用してＭＩＨサーバーと通信するよう構成され、前記ＭＩＨミドルウェアは、前記ＷＣＤＭＡモデムにより前記ＭＩＨサーバーからのハンドオーバーコマンドを受信して、前記ハンドオーバーコマンドに応答して、ＷＣＤＭＡサービス品質（ＱｏＳ）を前記別の技術タイプのＱｏＳへマッピングするよう構成され、
前記ＭＩＨミドルウェアおよび前記ＷＣＭＤＡモデムは、前記別の技術タイプのＱｏＳへのマッピングに応答して、前記ＷＣＤＭＡモデムをパワーダウンするようさらに構成され、
前記ＭＩＨミドルウェアおよび前記別のモデムは、前記ＷＣＤＭＡモデムのパワーダウンに応答して、前記別のモデムへの切替えを実行し、モバイル・インターネット・プロトコル・バインディング更新を実行し、ＭＩＨ切替え応答を前記ＭＩＨサーバーへ伝達するようさらに構成され、
前記ＭＩＨミドルウェアおよび前記別のモデムは、前記別のモデムをレシーバーモードにおいて開始するようさらに構成され、
前記ＭＩＨミドルウェアおよび前記ＷＣＤＭＡモデムは、前記ＭＩＨ切替え応答の伝達に応答して、前記ＷＣＤＭＡ接続を終了するようさらに構成され、
前記ＭＩＨミドルウェアは、前記別のモデムのレシーバーモードにおける開始に応答して、ＷＣＤＭＡ測定報告を前記ＷＣＤＭＡモデムから受信して、前記別の技術タイプの測定報告を前記別のモデムから受信するようさらに構成され、
前記ＷＣＤＭＡモデムは、セッション進行中にプロプラエタリシステム情報によって前記別の技術タイプのセルの利用可能性を検出して、サービスエリア予測を前記ＭＩＨミドルウェアへ伝達するようさらに構成され、
前記ＭＩＨミドルウェアおよび前記ＷＣＤＭＡモデムは、前記サービスエリア予測に応答して、セル利用可能性メッセージを前記ＭＩＨサーバーへ伝達するようさらに構成され、
前記ＭＩＨミドルウェアは、前記セル利用可能性メッセージの伝達に応答して、前記ＷＣＤＭＡモデムにより前記ＭＩＨサーバーからスキャン要求メッセージを受信するようさらに構成され、前記スキャン要求メッセージは前記別の技術タイプのセルのリストと報告しきい値とを含み、
前記ＭＩＨミドルウェアおよび前記別のモデムは、前記スキャン要求メッセージに応答して前記別のモデムをレシーバーモードにおいてオンにすることを実行するようさらに構成されたことを特徴とするＷＴＲＵ。
【請求項２】
前記別の技術はＷｉＢｒｏ（Wireless Broadband）技術であり、前記別のモデムはＷｉＢｒｏモデムであることを特徴とする請求項１に記載のＷＴＲＵ。
【請求項３】
前記別の技術はＩＥＥＥ８０２．１１ｘ（ＷｉＦｉ）技術であり、前記別のモデムはＷｉＦｉモデムであることを特徴とする請求項１に記載のＷＴＲＵ。
【請求項４】
前記ＭＩＨミドルウェアおよび前記ＷＣＤＭＡモデムは、初期化の開始に応答して、ＭＩＨサーバー発見を実行し、ホーム・エージェント・インターネット・プロトコル・アドレスを取得し、ＭＩＨセッションを開始するようさらに構成されたことを特徴とする請求項１に記載のＷＴＲＵ。
【請求項５】
前記別の技術はＷｉＢｒｏ技術であり、前記別のモデムはＷｉＢｒｏモデムであることを特徴とする請求項４に記載のＷＴＲＵ。
【請求項６】
前記別の技術はＩＥＥＥ８０２．１１ｘ（ＷｉＦｉ）技術であり、前記別のモデムはＷｉＦｉモデムであることを特徴とする請求項４に記載のＷＴＲＵ。
【請求項７】
前記ＭＩＨミドルウェアおよび前記ＷＣＤＭＡモデムは、ＷＣＤＭＡネットワークへのハンドオーバーの成功に応答して、前記ＭＩＨサーバーに再登録し、ＭＩＨセッション継続メッセージを前記ＭＩＨサーバーへ伝達するようさらに構成されたことを特徴とする請求項１に記載のＷＴＲＵ。
【請求項８】
前記別の技術はＷｉＢｒｏ技術であり、前記別のモデムはＷｉＢｒｏモデムであることを特徴とする請求項７に記載のＷＴＲＵ。
【請求項９】
前記別の技術はＩＥＥＥ８０２．１１ｘ（ＷｉＦｉ）技術であり、前記別のモデムはＷｉＦｉモデムであることを特徴とする請求項７に記載のＷＴＲＵ。
【請求項１０】
前記ＷＣＤＭＡモデムは、進行中のセッションに応答して、前記ＭＩＨサーバーへ周期的に登録するようさらに構成され、
前記ＭＩＨミドルウェアは、前記ＭＩＨサーバーへの周期的な登録中に、前記ＷＣＤＭＡモデムにより前記ＭＩＨサーバーからスキャン要求メッセージを受信するようさらに構成され、前記スキャン要求メッセージは前記別の技術タイプのセルのリストと報告しきい値とを含み、
前記ＭＩＨミドルウェアおよび前記別のモデムは、前記スキャン要求メッセージに応答して前記別のモデムをレシーバーモードにおいてオンにすることを実行するようさらに構成されたことを特徴とする請求項１に記載のＷＴＲＵ。
【請求項１１】
前記別の技術はＷｉＢｒｏ技術であり、前記別のモデムはＷｉＢｒｏモデムであることを特徴とする請求項１０に記載のＷＴＲＵ。
【請求項１２】
前記別の技術はＩＥＥＥ８０２．１１ｘ（ＷｉＦｉ）技術であり、前記別のモデムはＷｉＦｉモデムであることを特徴とする請求項１０に記載のＷＴＲＵ。
【請求項１３】
広帯域符号分割多元接続（ＷＣＤＭＡ）モデムと、
ＩＥＥＥ８０２．１１ｘ（ＷｉＦｉ）モデムと、
ＭＩＨミドルウェアを作動させるよう構成されたプロセッサと
を備えたデュアルモードのＷＴＲＵであって、
前記ＷｉＦｉモデムはＷｉＦｉ接続を使用してＭＩＨサーバーと通信するように構成され、前記ＭＩＨミドルウェアは、前記ＷｉＦｉモデムにより前記ＭＩＨサーバーからハンドオーバーコマンドを受信して、ＷｉＦｉサービス品質（ＱｏＳ）をＷＣＤＭＡ  ＱｏＳへマッピングするよう構成され、
前記ＭＩＨミドルウェアおよび前記ＷＣＤＭＡモデムは、前記ＷＣＤＭＡ  ＱｏＳへのマッピングに応答して、ＷＣＤＭＡへの切替えを実行し、パケット交換（ＰＳ）セッションを設定し、モバイル・インターネット・プロトコル・バインディング更新を実行し、ＭＩＨ切替え応答を前記ＭＩＨサーバーへ伝達するようさらに構成され、
前記ＭＩＨミドルウェアおよび前記ＷＣＤＭＡモデムは、前記ＷＣＤＭＡモデムをレシーバーモードにおいて開始するようさらに構成され、
前記ＭＩＨミドルウェアおよび前記ＷｉＦｉモデムは、前記ＭＩＨ切替え応答の伝達に応答して、前記ＷｉＦｉ接続を終了するようさらに構成され、
前記ＭＩＨミドルウェアは、前記ＷＣＤＭＡモデムのレシーバーモードにおける開始に応答して、ＷｉＦｉ測定報告を前記ＷｉＦｉモデムから受信して、前記ＷＣＤＭＡ接続の測定報告を前記ＷＣＤＭＡのモデムから受信するようさらに構成され、
前記ＷｉＦｉモデムは、セッション進行中にプロプラエタリシステム情報によってＷＣＤＭＡのセルの利用可能性を検出して、サービスエリア予測を前記ＭＩＨミドルウェアへ伝達するようさらに構成され、
前記ＭＩＨミドルウェアおよび前記ＷＣＤＭＡモデムは、前記サービスエリア予測に応答して、セル利用可能性メッセージを前記ＭＩＨサーバーへ伝達するようさらに構成され、
前記ＭＩＨミドルウェアは、前記セル利用可能性メッセージの伝達に応答して、前記ＷｉＦｉモデムにより前記ＭＩＨサーバーからスキャン要求メッセージを受信するようさらに構成され、前記スキャン要求メッセージは前記ＷＣＤＭＡのセルのリストと報告しきい値とを含み、
前記ＭＩＨミドルウェアおよび前記ＷｉＦｉモデムは、前記スキャン要求メッセージに応答して前記ＷＣＤＭＡモデムをレシーバーモードにおいてオンにするようさらに構成されたことを特徴とするＷＴＲＵ。
【請求項１４】
前記ＭＩＨミドルウェアおよび前記ＷｉＦｉモデムは、初期化の開始に応答して、ＭＩＨサーバー発見を実行し、ホーム・エージェント・インターネット・プロトコル・アドレスを取得し、ＭＩＨセッションを開始するようさらに構成されたことを特徴とする請求項１３に記載のＷＴＲＵ。
【請求項１５】
前記ＭＩＨミドルウェアは、ＷｉＦｉ測定報告を前記ＷｉＦｉモデムから受信して、ＷｉＦｉのサービスエリアの終わりを予測するようさらに構成され、
前記ＭＩＨミドルウェアおよび前記ＷＣＤＭＡモデムは、前記ＷｉＦｉのサービスエリアの終わりの予測に応答して、前記ＷＣＭＤＡモデムをアイドルモードにおいて開始するようさらに構成され、
前記ＭＩＨミドルウェアは、前記レシーバーモードにおいて作動するＷＣＤＭＡモデムに応答して、追加のＷｉＦｉ測定報告を前記ＷｉＦｉモデムから受信して、ＷＣＤＭＡ測定報告を前記ＷＣＤＭＡモデムから受信するようさらに構成されたことを特徴とする請求項１３に記載のＷＴＲＵ。
【国際調査報告】
2010539811.tif 000024
2010539811.tif 000025
2010539811.tif 000026